(57)【特許請求の範囲】
【請求項１】
基地局に適用されたデータスケジューリング方法であって、
特定の周波数スペクトル上の搬送波上で第１の無線通信システムのために時間領域および周波数領域においてデータスケジューリング粒度を構成するステップであって、前記データスケジューリング粒度は、データを割当てるリソースブロックを示す、該ステップと、
前記特定の周波数スペクトル上のいくつかの搬送波上、またはすべての搬送波上の前記構成されたデータスケジューリング粒度のオプションを端末装置に示すステップであって、前記データスケジューリング粒度のオプションは、前記データスケジューリング粒度に対応する番号を示す、該ステップと、
前記特定の周波数スペクトル上の前記搬送波上の前記構成されたデータスケジューリング粒度に従って前記端末装置のためにデータスケジューリングを実行し、前記データスケジューリングの後に得られたデータスケジューリング結果を前記端末装置に示すステップと
を具え、
特定の周波数スペクトル上の搬送波上で第１の無線通信システムのために時間領域および周波数領域においてデータスケジューリング粒度を構成する前記ステップは、
前記特定の周波数スペクトル上の前記搬送波上で適用された第２の無線通信システムが存在するかどうかを決定すること、および
前記特定の周波数スペクトル上の前記搬送波上で適用された第２の無線通信システムが存在しない場合、前記特定の周波数スペクトル上の前記搬送波上で前記第１の無線通信システムのために前記時間領域および前記周波数領域において前記データスケジューリング粒度を構成することを具え、
前記時間領域において、前記第１の無線通信システムのための前記データスケジューリング粒度の有効長は、前記データスケジューリングにおける利用可能な複数の端末装置間で共有されるデータチャネルの時間領域長であり、
前記周波数領域において、前記第１の無線通信システムのための前記データスケジューリング粒度の有効長は、１つのリソースブロックの周波数領域幅であり、
前記第１の無線通信システムは、ロングタームエボリューションＬＴＥシステムであることを特徴とする方法。
【請求項２】
特定の周波数スペクトル上の搬送波上で第１の無線通信システムのために時間領域および周波数領域においてデータスケジューリング粒度を構成する前記ステップは、
前記特定の周波数スペクトル上の前記搬送波上で適用された第２の無線通信システムが存在するかどうかを決定すること、および
前記特定の周波数スペクトル上の前記搬送波上で適用された前記第２の無線通信システムが存在する場合、前記特定の周波数スペクトル上の前記搬送波上で前記時間領域および前記周波数領域において前記データスケジューリング粒度を構成することを具え、
前記時間領域において、前記第１の無線通信システムのための前記データスケジューリング粒度の有効長は、１の直交周波数分割多重化ＯＦＤＭシンボルの時間領域長であり、
前記周波数領域において、前記第１の無線通信システムのための前記データスケジューリング粒度の有効長は、前記データスケジューリングにおける利用可能な複数の端末装置間で共有されるデータチャネルの帯域幅のＳ倍であり、Ｓは、０より大きく、１以下である数値であり、
前記第１の無線通信システムは、ＬＴＥシステムであり、前記第２の無線通信システムは、ワイヤレスフィデリティＷｉＦｉシステムであることを特徴とする請求項１に記載の方法。
【請求項３】
特定の周波数スペクトル上の搬送波上で無線通信システムのために時間領域および周波数領域においてデータスケジューリング粒度を構成する前記ステップは、
前記特定の周波数スペクトル上の前記搬送波上で適用された第２の無線通信システムが存在するかどうかを決定すること、
前記特定の周波数スペクトル上の前記搬送波上で適用された前記第２の無線通信システムが存在する場合、前記特定の周波数スペクトルの前記第１の無線通信システムと前記第２の無線通信システムとの間で共有される特定の周波数スペクトル上の搬送波上で前記第１の無線通信システムのために前記時間領域および前記周波数領域においてデータスケジューリング粒度を構成することであって、
前記時間領域において、前記第１の無線通信システムのための前記データスケジューリング粒度の有効長は、１のＯＦＤＭシンボルの時間領域長であり、
前記周波数領域において、前記第１の無線通信システムのための前記データスケジューリング粒度の有効長は、前記データスケジューリングにおける利用可能な複数の端末装置間で共有されるデータチャネルの帯域幅のＳ倍であり、Ｓは、０より大きく、１以下である数値であること、および
前記特定の周波数スペクトルの共有されない特定の周波数スペクトル上の搬送波上で前記第１の無線通信システムのために前記時間領域および前記周波数領域においてデータスケジューリング粒度を構成することを具え、
前記時間領域において、前記第１の無線通信システムのための前記データスケジューリング粒度の有効長は、前記データスケジューリングにおける利用可能な複数の端末装置間で共有されるデータチャネルの時間領域長であり、
前記周波数領域において、前記第１の無線通信システムのための前記データスケジューリング粒度の有効長は、１つのリソースブロックの周波数領域幅であり、
前記第１の無線通信システムは、ＬＴＥシステムであり、前記特定の周波数スペクトル上に存在する前記第２の無線通信システムは、ＷｉＦｉシステムであることを特徴とする請求項１に記載の方法。
【請求項４】
前記特定の周波数スペクトル上のいくつかの搬送波上、またはすべての搬送波上の前記構成されたデータスケジューリング粒度のオプションを端末装置に示す前記ステップは、
前記データスケジューリング粒度の前記オプションから、前記特定の周波数スペクトル上で前記第１の無線通信システムのために前記時間領域および／または前記周波数領域において前記データスケジューリング粒度を獲得すること、および
前記共有される特定の周波数スペクトル上の前記搬送波上のスケジューリング情報を使用することによって、前記時間領域および／または前記周波数領域における前記データスケジューリング粒度を前記端末装置に示すこと、または
前記共有される特定の周波数スペクトル上の前記搬送波とは別の周波数スペクトル上の搬送波上のスケジューリング情報を使用することによって、前記時間領域および／または前記周波数領域における前記データスケジューリング粒度を前記端末装置に示すことを具えたことを特徴とする請求項３に記載の方法。
【請求項５】
前記特定の周波数スペクトル上のいくつかの搬送波上、またはすべての搬送波上の前記構成されたデータスケジューリング粒度のオプションを端末装置に示す前記ステップは、
前記データスケジューリング粒度の前記オプションが、前記特定の周波数スペクトルの前記共有される特定の周波数スペクトル上の前記搬送波上で前記第１の無線通信システムのための前記時間領域および前記周波数領域における前記データスケジューリング粒度である場合、前記共有される特定の周波数スペクトル上の前記搬送波上のスケジューリング情報、または前記共有される特定の周波数スペクトル上の前記搬送波とは別の周波数スペクトル上の搬送波上のスケジューリング情報を使用することによって、前記データスケジューリング粒度を前記端末装置に示すことを具え、
前記端末装置に前記データスケジューリング粒度の前記オプションを示すインジケーションを送らないための条件は、前記データスケジューリング粒度の前記オプションが、前記特定の周波数スペクトルの前記共有されない特定の周波数スペクトル上の前記搬送波上の前記第１の無線通信システムのための前記時間領域および前記周波数領域における前記データスケジューリング粒度であることであることを特徴とする請求項３に記載の方法。
【請求項６】
前記特定の周波数スペクトル上の前記搬送波上の前記構成されたデータスケジューリング粒度に従って前記端末装置のためにデータスケジューリングを実行する前記ステップは、
前記時間領域における前記有効長が、前記データスケジューリングにおける前記利用可能な複数の端末装置間で共有されるデータチャネルの前記時間領域長である前記データスケジューリング粒度に従って、および／または
前記周波数領域における１のリソースブロックの前記周波数領域幅の前記データスケジューリング粒度に従って前記端末装置のためにデータスケジューリングを実行し、対応するデータスケジューリング結果を獲得することを具えたことを特徴とする請求項１に記載の方法。
【請求項７】
前記特定の周波数スペクトル上の前記搬送波上の前記構成されたデータスケジューリング粒度に従って前記端末装置のためにデータスケジューリングを実行する前記ステップは、
前記周波数領域における前記有効長が、前記データスケジューリングにおける前記利用可能な複数の端末装置間で共有されるデータチャネルの前記帯域幅のＳ倍である前記データスケジューリング粒度に従って、ここで、Ｓは、０より大きく、１以下である数値であり、および／または
前記時間領域における前記有効長が、１のＯＦＤＭシンボルの前記時間領域長である前記データスケジューリング粒度に従って、前記端末装置のためにデータスケジューリングを実行し、対応するデータスケジューリング結果を獲得することを具えたことを特徴とする請求項２に記載の方法。
【請求項８】
前記特定の周波数スペクトル上の前記搬送波上の前記構成されたデータスケジューリング粒度に従って前記端末装置のためにデータスケジューリングを実行する前記ステップは、
前記特定の周波数スペクトルの前記共有されない特定の周波数スペクトル上で、前記時間領域における前記有効長が、前記データスケジューリングにおける前記利用可能な複数の端末装置間で共有されるデータチャネルの前記時間領域長である前記データスケジューリング粒度に従って、および／または
前記周波数領域における１のリソースブロックの前記周波数領域幅の前記スケジューリング粒度に従って前記端末装置のためにデータスケジューリングを実行し、対応するデータスケジューリング結果を獲得すること、および
前記特定の周波数スペクトルの前記共有される特定の周波数スペクトル上で、前記周波数領域における前記有効長が、前記データスケジューリングにおける前記利用可能な複数の端末装置間で共有されるデータチャネルの前記帯域幅のＳ倍である前記データスケジューリング粒度に従って、および／または
前記時間領域における前記有効長が、１のＯＦＤＭシンボルの前記時間領域長である前記データスケジューリング粒度に従って、前記端末装置のためにデータスケジューリングを実行し、対応するデータスケジューリング結果を獲得することを具えたことを特徴とする請求項３に記載の方法。
【請求項９】
対応するデータスケジューリング結果を前記端末装置に示す前記ステップは、
前記共有されない特定の周波数スペクトル上のスケジューリング情報に従って、前記共有される特定の周波数スペクトルの前記データスケジューリング結果を前記端末装置に示すこと、または
前記共有される特定の周波数スペクトル上のスケジューリング情報に従って、前記共有される特定の周波数スペクトルの前記データスケジューリング結果を前記端末装置に示すことを具えたことを特徴とする請求項８に記載の方法。
【請求項１０】
対応するデータスケジューリング結果を前記端末装置に示す前記ステップは、
前記特定の周波数スペクトル上の搬送波上の構成されたデータスケジューリング粒度が前記第１の無線通信システムのためのデフォルトのデータスケジューリング粒度とは異なる場合、前記端末装置に示される前記データスケジューリング結果を表すのに前記スケジューリング情報の同一のリソーススケジューリングフィールドを使用することをさらに具えたことを特徴とする請求項９に記載の方法。
【請求項１１】
対応するデータスケジューリング結果を前記端末装置に示す前記ステップの後、前記方法は、
前記構成されたデータスケジューリング粒度に従って前記端末装置のためにデータスケジューリングを実行すること、
スケジュールされたデータを獲得し、前記スケジュールされたデータの各データスケジューリング粒度に従って、前記スケジュールされたデータを復調するために要求される復調基準信号をマップすること、および
前記復調基準信号に従って前記スケジュールされたデータを復調し、前記端末装置を相手にデータ送信を実行することをさらに具え、
リソースマッピングは、前記特定の周波数スペクトル上の前記搬送波上の前記第１の無線通信システムのための前記構成されたデータスケジューリング粒度に従って前記復調基準信号がマップされることを特徴とする請求項１ないし１０のいずれか１つに記載の方法。
【請求項１２】
端末装置に適用されたデータスケジューリング方法であって、
請求項１ないし１１のいずれか１つに記載のデータスケジューリング方法が適用された基地局から、データスケジューリング結果が送信された場合において、
前記基地局によって示される、特定の周波数スペクトル上のいくつかの搬送波上、またはすべての搬送波上の第１の無線通信システムおよび第２の無線通信システムのためのデータスケジューリング粒度のオプションを受信するステップであって、前記データスケジューリング粒度の前記オプションは、前記特定の周波数スペクトル上の前記搬送波上の前記第１の無線通信システムのための時間領域および周波数領域における構成されたデータスケジューリング粒度を備えるステップと、
前記基地局によって示される前記送信されたデータスケジューリング結果を受信し、復調基準信号に従って前記送信されたデータスケジューリング結果を復調し、前記基地局を相手にデータ送信を実行するステップとを具え、
リソースマッピングは、前記特定の周波数スペクトル上の前記搬送波上の前記第１の無線通信システムのための前記構成されたデータスケジューリング粒度に従って前記復調基準信号がマップされることを特徴とする方法。
【請求項１３】
前記基地局によって示される前記送信されたデータスケジューリング結果を受信する前記ステップは、
前記第１の無線通信システムと前記第２の無線通信システムとの間で共有される前記特定の周波数スペクトル上の搬送波上のスケジューリング情報に従って、前記特定の周波数スペクトル上の前記第１の無線通信システムのための前記データスケジューリング結果を受信すること、または
前記共有される特定の周波数スペクトル上の搬送波とは別のスペクトル上の搬送波上のスケジューリング情報に従って、前記特定の周波数スペクトル上の前記第１の無線通信システムのための前記データスケジューリング結果を受信することを具えたことを特徴とする請求項１２に記載の方法。
【請求項１４】
前記共有される特定の周波数スペクトル上の搬送波上のスケジューリング情報に従って、前記特定の周波数スペクトル上の前記第１の無線通信システムのための前記データスケジューリング結果を前記受信することは、
少なくとも１のＯＦＤＭシンボルにおいて物理ダウンリンク制御チャネル上でブラインド検出を実行して、前記特定の周波数スペクトル上の前記スケジューリング情報を獲得すること、および
前記共有される特定の周波数スペクトル上の前記搬送波上の前記スケジューリング情報に従って、前記特定の周波数スペクトル上の前記第１の無線通信システムのための前記データスケジューリング結果を受信することを具えたことを特徴とする請求項１３に記載の方法。
【請求項１５】
基地局側に適用されたデータスケジューリング装置であって、
特定の周波数スペクトル上の搬送波上で第１の無線通信システムのために時間領域および周波数領域においてデータスケジューリング粒度を構成し、前記データスケジューリング粒度をインジケーションユニットに送るように構成された構成ユニットであって、前記データスケジューリング粒度は、データを割当てるリソースブロックを示し、該構成ユニットと、
前記特定の周波数スペクトル上のいくつかの搬送波上、またはすべての搬送波上の前記データスケジューリング粒度のオプションを端末装置に示し、前記データスケジューリング粒度をデータスケジューリングユニットに送るように構成された前記インジケーションユニットであって、データスケジューリング粒度のオプションは、前記データスケジューリング粒度に対応する番号を示し、該インジケーションユニットと、
前記データスケジューリング粒度の前記オプションにおいて示される前記データスケジューリング粒度に従って前記端末装置のためにデータスケジューリングを実行し、対応するデータスケジューリング結果を前記端末装置に示すように構成された前記データスケジューリングユニットとを具え、
前記構成ユニットは、
前記特定の周波数スペクトル上の前記搬送波上で適用された第２の無線通信システムが存在するかどうかを検出し、前記特定の周波数スペクトル上の前記搬送波上で適用された第２の無線通信システムが存在しない場合、第１の構成モジュールを実行するように構成された検出モジュールと、
前記時間領域において、前記第１の無線通信システムのためのデータスケジューリング粒度の有効長は、前記データスケジューリングにおける利用可能な複数の端末装置間で共有されるデータチャネルの時間領域長であり、前記周波数領域において、前記第１の無線通信システムのためのデータスケジューリング粒度の有効長は、１つのリソースブロックの周波数領域幅であるデータスケジューリング粒度を構成するようにされた前記第１の構成モジュールとを具えたこととを特徴とするデータスケジューリング装置。
【請求項１６】
前記構成ユニットによって送られた前記データスケジューリング粒度、および前記データスケジューリングユニットによって送られた前記データスケジューリング結果を受信し、スケジュールされたデータに関する各データスケジューリング粒度に従ってマップされた復調基準信号を獲得し、前記復調基準信号に従って前記スケジュールされたデータを復調し、前記端末装置を相手にデータ送信を実行するように構成された第１のデータ送信ユニットをさらに具えた装置であって、リソースマッピングは、前記構成ユニットによって出力される前記データスケジューリング粒度に従って前記復調基準信号がマップされたことを特徴とする請求項１５に記載の装置。
【請求項１７】
前記構成ユニットは、
前記特定の周波数スペクトル上の前記搬送波上で適用された第２の無線通信システムが存在するかどうかを検出し、前記特定の周波数スペクトル上の前記搬送波上で適用された前記第２の無線通信システムが存在する場合、第２の構成モジュールまたは第３の構成モジュールを実行するように構成された検出モジュールと、および
前記時間領域において、前記第１の無線通信システムのための前記データスケジューリング粒度の有効長が、１のＯＦＤＭシンボルの時間領域長であり、前記周波数領域において、前記第１の無線通信システムのための前記データスケジューリング粒度の有効長が、前記データスケジューリングにおける利用可能な複数の端末装置間で共有されるデータチャネルの帯域幅のＳ倍であり、Ｓは、０より大きく、１以下である数値であるデータスケジューリング粒度を構成するように構成された前記第２の構成モジュール、または
前記特定の周波数スペクトルの前記第１の無線通信システムと前記第２の無線通信システムとの間で共有される特定の周波数スペクトル上の搬送波上で前記第１の無線通信システムのために前記時間領域および前記周波数領域においてデータスケジューリング粒度を構成するように構成された前記第３の構成モジュールであって、前記時間領域において、前記第１の無線通信システムのための前記データスケジューリング粒度の有効長は、１のＯＦＤＭシンボルの時間領域長であり、前記周波数領域において、前記第１の無線通信システムのための前記データスケジューリング粒度の有効長は、前記データスケジューリングにおける利用可能な複数の端末装置間で共有されるデータチャネルの帯域幅のＳ倍であり、Ｓは、０より大きく、１以下である数値である前記第３の構成モジュールと、をさらに具えたことを特徴とする請求項１６に記載の装置。
【請求項１８】
前記インジケーションユニットは、
前記データスケジューリング粒度の前記オプションから、前記特定の周波数スペクトル上の前記搬送波上の前記第１の無線通信システムのための前記時間領域および／または前記周波数領域における前記データスケジューリング粒度を獲得するように構成された獲得モジュール、および
前記第１の無線通信システムと前記第２の無線通信システムとの間で共有される前記特定の周波数スペクトル上の前記搬送波上のスケジューリング情報を使用することによって、前記時間領域および／または前記周波数領域における前記データスケジューリング粒度を前記端末装置に示し、前記データスケジューリング粒度を前記データスケジューリングユニットに送るように構成された第１のインジケーションモジュール、または
前記共有される特定の周波数スペクトル上の前記搬送波とは別のスペクトル上の搬送波上のスケジューリング情報を使用することによって、前記時間領域および／または前記周波数領域における前記データスケジューリング粒度を前記端末装置に示し、前記データスケジューリング粒度を前記データスケジューリングユニットに送るように構成された第２のインジケーションモジュールを具えたことを特徴とする請求項１５ないし１７のいずれか１つに記載の装置。
【請求項１９】
前記データスケジューリングユニットは、
前記時間領域における、前記第１の無線通信システムのための前記データスケジューリング粒度の前記有効長が、前記データスケジューリングにおける前記利用可能な複数の端末装置間で共有されるデータチャネルの前記時間領域長であり、前記周波数領域における、前記第１の無線通信システムのための前記データスケジューリング粒度の前記有効長が、１つのリソースブロックの前記周波数領域幅である前記データスケジューリング粒度に従って前記端末装置のためにデータスケジューリングを実行し、対応するデータスケジューリング結果を獲得するように構成された第１のデータスケジューリングモジュールと、
共有されない特定の周波数スペクトル上のスケジューリング情報を使用することによって、前記特定の周波数スペクトルの前記共有される特定の周波数スペクトルの前記データスケジューリング結果を前記端末装置に示し、または前記共有される特定の周波数スペクトル上のスケジューリング情報を使用することによって、前記共有される特定の周波数スペクトルの前記データスケジューリング結果を前記端末装置に示し、前記データスケジューリング結果を前記第１のデータ送信ユニットに送るように構成された第２のインジケーションモジュールとを具え、
前記共有されない特定の周波数スペクトル上、または前記共有される特定の周波数スペクトル上の前記スケジューリング情報は、物理ダウンリンク制御チャネルＰＤＣＣＨ命令または拡張された物理ダウンリンク制御チャネルＥ−ＰＤＣＣＨ命令であることを特徴とする請求項１７に記載の装置。
【請求項２０】
前記第２の構成モジュールが構成のために使用される場合、前記データスケジューリングユニットは、
前記データスケジューリングにおける前記利用可能な複数の端末装置間で共有されるデータチャネルの前記帯域幅のＳ倍が前記周波数領域における前記有効長として使用される前記データスケジューリング粒度に従って、および／または前記時間領域における前記有効長が、スケジューリング情報を使用することによって示される前記データスケジューリング粒度に従って前記端末装置のためのデータスケジューリングを実行し、対応するデータスケジューリング結果を獲得するように構成された第２のデータスケジューリングモジュールと、
ＬＴＥ共有されない周波数スペクトル上の一次セル上のスケジューリング情報を使用することによって、前記共有される周波数スペクトル上の二次セル上の前記データスケジューリング結果を前記端末装置に示し、またはＬＴＥ共有される周波数スペクトル上の二次セル上のスケジューリング情報を使用することによって、前記共有される周波数スペクトル上の二次セル上の前記データスケジューリング結果を前記端末装置に示し、前記データスケジューリング結果を前記第１のデータ送信ユニットに送るように構成された第３のインジケーションモジュールと
を具えたことを特徴とする請求項１７に記載の装置。
【請求項２１】
前記第３の構成モジュールが構成のために使用される場合、
前記データスケジューリングユニットは、
前記特定の周波数スペクトルの前記共有される特定の周波数スペクトル上の前記搬送波上の前記時間領域および前記周波数領域における前記データスケジューリング粒度、または前記特定の周波数スペクトルの共有されない特定の周波数スペクトル上の前記搬送波上の時間領域および周波数領域におけるデータスケジューリング粒度に従って前記端末装置のためにデータスケジューリングを実行し、対応するデータスケジューリング結果を獲得するように構成された第３のデータスケジューリングモジュールと、
前記共有されない特定の周波数スペクトル上のスケジューリング情報を使用することによって、前記共有される特定の周波数スペクトルの前記データスケジューリング結果を前記端末装置に示し、または前記共有される特定の周波数スペクトル上のスケジューリング情報を使用することによって、前記共有される特定の周波数スペクトルの前記データスケジューリング結果を前記端末装置に示し、前記データスケジューリング結果を前記第１のデータ送信ユニットに送るように構成された第４のインジケーションモジュールと
を具えたことを特徴とする請求項１７に記載の装置。
【請求項２２】
前記データスケジューリングユニットは、
データスケジューリングが、前記データスケジューリング粒度の前記オプションにおいて示される、前記特定の周波数スペクトル上の搬送波上で前記第１の無線通信システムのためのデフォルトのデータスケジューリング粒度とは異なるデータスケジューリング粒度に従って前記端末装置のために実行される場合、前記データスケジューリング結果を表すのにスケジューリング情報の同一のリソーススケジューリングフィールドを使用するように構成された統一されたフォーマットモジュールをさらに具えたことを特徴とする請求項１５ないし２１のいずれか１つに記載の装置。
【請求項２３】
端末装置に適用されたデータスケジューリング装置であって、
請求項１５ないし２２のいずれか１つに記載のデータスケジューリング装置が適用された基地局から、データスケジューリング結果が送信された場合において、
前記基地局によって示されるデータスケジューリング粒度のオプションを受信するように構成された受信ユニットであって、前記データスケジューリング粒度の前記オプションは、
特定の周波数スペクトル上の搬送波上の第１の無線通信システムのための時間領域および周波数領域において構成されたデータスケジューリング粒度を備え、前記特定の周波数スペクトルは、前記第１の無線通信システムと第２の無線通信システムとの間で共有される特定の周波数スペクトルと、共有されない特定の周波数スペクトルとを備える受信ユニットと、
前記基地局によって示される前記送信されたデータスケジューリング結果を受信し、復調基準信号に従って前記送信されたデータスケジューリング結果を復調し、前記基地局を相手にデータ送信を実行するように構成された第２のデータ送信ユニットであって、リソースマッピングは、前記特定の周波数スペクトル上の前記第１の無線通信システムのための前記構成されたデータスケジューリング粒度に従って前記復調基準信号がマップされる第２のデータ送信ユニットと
を具えたことを特徴とするデータスケジューリング装置。
【請求項２４】
前記第２のデータ送信ユニットは、
前記共有される特定の周波数スペクトル上のスケジューリング情報に従って、前記特定の周波数スペクトル上の前記搬送波上の前記第１の無線通信システムのための前記送信されたデータスケジューリング結果を受信するように構成された第１の受信モジュールと、
前記共有される特定の周波数スペクトルとは別のスペクトル上の搬送波上のスケジューリング情報に従って、前記特定の周波数スペクトル上の前記搬送波上の前記第１の無線通信システムのための前記データスケジューリング結果を受信するように構成された第２の受信モジュールと
を具えたことを特徴とする請求項２３に記載の装置。
【請求項２５】
前記第１の受信モジュールは、
少なくとも１のＯＦＤＭシンボルにおける物理ダウンリンク制御チャネル上でブラインド検出を実行して、前記特定の周波数スペクトル上の前記スケジューリング情報を獲得するように構成されたブラインド検出モジュールを具えたことを特徴とする請求項２４に記載の装置。
【発明の詳細な説明】
【技術分野】
【０００１】
本発明は、無線通信技術の分野に関し、より詳細には、データスケジューリング方法、データスケジューリング装置、基地局、および端末装置に関する。
【背景技術】
【０００２】
周波数スペクトルは、無線通信の基礎であり、アプリケーションの観点から、周波数スペクトルは、無認可のスペクトルと認可されたスペクトルに分類される。新たに公表された国際周波数スペクトル白書によれば、認可されたスペクトルリソースよりも多くの無認可のスペクトルリソースが存在することになる。現在、無認可のスペクトル上で使用される主要な技術は、ワイヤレスフィデリティ（Ｗｉｒｅｌｅｓｓ  Ｆｉｄｅｌｉｔｙ，ＷｉＦｉ）技術であり、ロングタームエボリューション（Ｌｏｎｇ  Ｔｅｒｍ  Ｅｖｏｌｕｔｉｏｎ，ＬＴＥ）技術などの別の無線通信技術が、認可されたスペクトル上で使用される。
【０００３】
図１に示されるとおり、図１は、１のＬＴＥ無線フレームの時間内に共有される周波数スペクトル上で生じる、ＬＴＥシステムとＷｉＦｉシステムの間のリソーススケジューリングの事例を示す。その時間範囲内で、ＬＴＥシステムの１０のサブフレームが含められ、周波数領域幅は、２０ＭＨｚである。アップリンクデータ送信中、およびダウンリンクデータ送信中、Ｓｕｂｆｒａｍｅ＃０およびＳｕｂｆｒａｍｅ＃１の時間内に、ＬＴＥシステムが、ユーザデータをスケジュールするシステムリソースを占有する。時間領域におけるＬＴＥのためのスケジューリング粒度、例えば、送信時間間隔（ＴＴＩ）は、１ミリ秒であり、すなわち、ＬＴＥは、時間領域において１ミリ秒ごとに１回、ユーザスケジューリングを実行する。したがって、Ｓｕｂｆｒａｍｅ＃０およびＳｕｂｆｒａｍｅ＃１の合計２ミリ秒の時間内に、ＬＴＥがシステムリソースを使用するため、ＷｉＦｉシステムによるシステムリソースの使用をリッスンすることの結果は、ＬＴＥシステムによるユーザデータのスケジューリングがＳｕｂｆｒａｍｅ＃１で終了するまで、この期間においてリソースが使用されることが可能でないことであり、周波数リソースが利用可能になると、利用可能であるというリソースのステータスがＷｉＦｉユーザによってリッスンされることが可能である。Ｓｕｂｆｒａｍｅ＃２の時間範囲内で、ユーザデータがスケジュールされる。図１に示されるとおり、スケジューリングは、Ｓｕｂｆｒａｍｅ＃３中に終了する。ＬＴＥシステムのスケジュールされたユーザデータは、サブフレームの開始ロケーションから開始するため、ＬＴＥシステムによるユーザデータをスケジュールする次の機会は、Ｓｕｂｆｒａｍｅ＃４からだけ開始することが可能である。したがって、Ｓｕｂｆｒａｍｅ＃３におけるいくつかのリソースは、使用されない。
【０００４】
無線通信システム間の物理リソースは、異なる手法で、スケジュールされたユーザデータの送信中に割り当てられ、システムによってスケジュールされたリソースは、異なるサイズを有してもいて、このことは、データ送信中、特定の周波数スペクトルリソースがシステム間で共有される場合、送信機会が不均一に分配され、システムリソースが十分に使用されないという問題を生じさせることが前述の説明から知られることが可能である。
【発明の概要】
【発明が解決しようとする課題】
【０００５】
本発明は、改善された、データスケジューリング方法、データスケジューリング装置、基地局、および端末装置を提供することにある。
【課題を解決するための手段】
【０００６】
これに鑑みて、本発明の実施形態の目的は、データ送信中、特定の周波数スペクトルリソースがシステム間で共有される場合、送信機会が不均一に分配され、システムリソースが十分に使用されないという、従来技術における問題を解決するデータスケジューリング方法およびデータスケジューリング装置、基地局、および端末装置を提供することであり、その問題は、無線通信システム間の物理リソースの異なる割当て手法、およびシステムによってスケジュールされたリソースの異なるサイズによって生じさせられる。
【０００７】
前述の目的を実現するのに、本発明の実施形態は、以下の技術的ソリューションを提供する。
【０００８】
本発明の実施形態の第１の態様が、
特定の周波数スペクトル上の搬送波上で第１の無線通信システムのために時間領域および周波数領域においてデータスケジューリング粒度を構成すること、
その特定の周波数スペクトル上のいくつかの搬送波上、またはすべての搬送波上の構成されたデータスケジューリング粒度のオプションを端末装置に示すこと、および
その特定の周波数スペクトル上の搬送波上の構成されたデータスケジューリング粒度に従って端末装置のためにデータスケジューリングを実行し、データスケジューリングの後に得られたデータスケジューリング結果を端末装置に示すことを含む、基地局に適用されたデータスケジューリング方法を提供する。
【０００９】
本発明のこの実施形態における第１の態様の第１の実施手法において、特定の周波数スペクトル上の搬送波上で第１の無線通信システムのために時間領域および周波数領域においてデータスケジューリング粒度を構成することは、
その特定の周波数スペクトル上の搬送波上で適用された第２の無線通信システムが存在するかどうかを決定すること、および
その特定の周波数スペクトル上の搬送波上で適用された第２の無線通信システムが存在しない場合、その特定の周波数スペクトル上の搬送波上で第１の無線通信システムのために時間領域および周波数領域においてデータスケジューリング粒度を構成することであって、
時間領域において、第１の無線通信システムのためのデータスケジューリングの有効長は、データスケジューリング期間における利用可能な共有されるデータチャネルの持続時間であり、
周波数領域において、第１の無線通信システムのためのデータスケジューリングの有効長は、１の物理リソースブロックの周波数領域幅であり、
第１の無線通信システムは、ロングタームエボリューションＬＴＥシステムであることを含む。
【００１０】
本発明のこの実施形態における第１の態様の第２の実施手法において、特定の周波数スペクトル上の搬送波上で第１の無線通信システムのために時間領域および周波数領域においてデータスケジューリング粒度を構成することは、
その特定の周波数スペクトル上の搬送波上で適用された第２の無線通信システムが存在するかどうかを決定すること、および
その特定の周波数スペクトル上の搬送波上で適用された第２の無線通信システムが存在する場合、その特定の周波数スペクトル上の搬送波上で時間領域および周波数領域においてデータスケジューリング粒度を構成することであって、
時間領域において、第１の無線通信システムのためのデータスケジューリングの有効長は、１の直交周波数分割多重化ＯＦＤＭシンボルの時間領域長であり、
周波数領域において、第１の無線通信システムのためのデータスケジューリングの有効長は、データスケジューリング期間における利用可能な共有されるデータチャネルの帯域幅のＳ倍であり、Ｓは、０より大きく、１以下である数値であり、
第１の無線通信システムは、ＬＴＥシステムであり、第２の無線通信システムは、ワイヤレスフィデリティＷｉＦｉシステムであることを含む。
【００１１】
本発明のこの実施形態の第１の態様の第３の実施手法において、特定の周波数スペクトル上の搬送波上で無線通信システムのために時間領域および周波数領域においてデータスケジューリング粒度を構成することは、
その特定の周波数スペクトル上の搬送波上で適用された第２の無線通信システムが存在するかどうかを決定すること、および
その特定の周波数スペクトル上の搬送波上で適用された第２の無線通信システムが存在する場合、その特定の周波数スペクトルの共有される特定の周波数スペクトル上の搬送波上で第１の無線通信システムのために時間領域および周波数領域においてデータスケジューリング粒度を構成することであって、
時間領域において、第１の無線通信システムのためのデータスケジューリングの有効長は、１のＯＦＤＭシンボルの時間領域長であり、
周波数領域において、第１の無線通信システムのためのデータスケジューリングの有効長は、データスケジューリング期間における利用可能な共有されるデータチャネルの帯域幅のＳ倍であり、Ｓは、０より大きく、１以下である数値であること、および
その特定の周波数スペクトルの共有されない特定の周波数スペクトル上の搬送波上で第１の無線通信システムのために時間領域および周波数領域においてデータスケジューリング粒度を構成することであって、
時間領域において、第１の無線通信システムのためのデータスケジューリングの有効長は、データスケジューリング期間における利用可能な共有されるデータチャネルの持続時間であり、
周波数領域において、第１の無線通信システムのためのデータスケジューリングの有効長は、１の物理リソースブロックの周波数領域幅であり、
第１の無線通信システムは、ＬＴＥシステムであり、その特定の周波数スペクトル上に存在する第２の無線通信システムは、ＷｉＦｉシステムであることを含む。
【００１２】
本発明のこの実施形態の第１の態様の第４の実施手法において、その特定の周波数スペクトル上のいくつかの搬送波上、またはすべての搬送波上の構成されたデータスケジューリング粒度のオプションを端末装置に示すことは、
データスケジューリング粒度のオプションから、その特定の周波数スペクトル上で第１の無線通信システムのために時間領域および／または周波数領域においてデータスケジューリング粒度を獲得すること、および
共有される特定の周波数スペクトル上の搬送波上のスケジューリング情報を使用することによって、時間領域および／または周波数領域におけるデータスケジューリング粒度を端末装置に示すこと、または
共有される特定の周波数スペクトル上の搬送波とは別の周波数スペクトル上の搬送波上のスケジューリング情報を使用することによって、時間領域および／または周波数領域におけるデータスケジューリング粒度を端末装置に示すことを含む。
【００１３】
本発明のこの実施形態の第１の態様の第５の実施手法において、その特定の周波数スペクトル上のいくつかの搬送波上、またはすべての搬送波上の構成されたデータスケジューリング粒度のオプションを端末装置に示すことは、
データスケジューリング粒度のオプションが、その特定の周波数スペクトルの共有される特定の周波数スペクトル上の搬送波上で第１の無線通信システムのための時間領域および周波数領域におけるデータスケジューリング粒度である場合、共有される特定の周波数スペクトル上の搬送波上のスケジューリング情報、または共有される特定の周波数スペクトル上の搬送波とは別の周波数スペクトル上の搬送波上のスケジューリング情報を使用することによって、データスケジューリング粒度を端末装置に示すことであって、
端末装置にインジケーションを送らないための条件は、データスケジューリング粒度のオプションが、その特定の周波数スペクトルの共有されない特定の周波数スペクトル上の搬送波上の第１の無線通信システムのための時間領域および周波数領域におけるデータスケジューリング粒度であることであることを含む。
【００１４】
本発明のこの実施形態の第１の態様の第６の実施手法において、その特定の周波数スペクトル上の搬送波上の構成されたデータスケジューリング粒度に従って端末装置のためにデータスケジューリングを実行することは、
時間領域における有効長が、データスケジューリング期間における利用可能な共有されるデータチャネルの持続時間であるデータスケジューリング粒度に従って、および／または
周波数領域における１のリソースブロックの周波数領域幅のスケジューリング粒度に従って端末装置のためにデータスケジューリングを実行し、対応するデータスケジューリング結果を獲得することを含む。
【００１５】
本発明のこの実施形態の第１の態様の第７の実施手法において、その特定の周波数スペクトル上の搬送波上の構成されたデータスケジューリング粒度に従って端末装置のためにデータスケジューリングを実行することは、
周波数領域における有効長が、データスケジューリング期間における利用可能な共有されるデータチャネルの帯域幅のＳ倍であるデータスケジューリング粒度に従って、および／または
時間領域における有効長が、１のＯＦＤＭシンボルの時間領域長であるデータスケジューリング粒度に従って端末装置のためにデータスケジューリングを実行し、対応するデータスケジューリング結果を獲得することを含む。
【００１６】
本発明のこの実施形態の第１の態様の第８の実施手法において、その特定の周波数スペクトル上の搬送波上の構成されたデータスケジューリング粒度に従って端末装置のためにデータスケジューリングを実行することは、
その特定の周波数スペクトルの共有されない特定の周波数スペクトル上で、時間領域における有効長が、データスケジューリング期間における利用可能な共有されるデータチャネルの持続時間であるデータスケジューリング粒度に従って、および／または
周波数領域における１のリソースブロックの周波数領域幅のスケジューリング粒度に従って端末装置のためにデータスケジューリングを実行し、対応するデータスケジューリング結果を獲得すること、および
その特定の周波数スペクトルの共有されない特定の周波数スペクトル上で、周波数領域における有効長が、データスケジューリング期間における利用可能な共有されるデータチャネルの帯域幅のＳ倍であるデータスケジューリング粒度に従って、および／または
時間領域における有効長が、１のＯＦＤＭシンボルの時間領域長であるデータスケジューリング粒度に従って端末装置のためにデータスケジューリングを実行し、対応するデータスケジューリング結果を獲得することを含む。
【００１７】
本発明のこの実施形態の第１の態様の第９の実施手法において、対応するデータスケジューリング結果を端末装置に示すことは、
共有されない特定の周波数スペクトル上のスケジューリング情報に従って、共有される特定の周波数スペクトルのデータスケジューリング結果を端末装置に示すこと、または
共有される特定の周波数スペクトル上のスケジューリング情報に従って、共有される特定の周波数スペクトルのデータスケジューリング結果を端末装置に示すことを含む。
【００１８】
本発明のこの実施形態の第１の態様の第１０の実施手法において、対応するデータスケジューリング結果を端末装置に示すことは、
その特定の周波数スペクトル上の搬送波上の構成されたデータスケジューリング粒度が異なる場合、端末装置に示されるデータスケジューリング結果を表すのにスケジューリング情報の同一のリソーススケジューリングフィールドを使用することを含む。
【００１９】
本発明のこの実施形態の第１の態様の第１１の実施手法において、対応するデータスケジューリング結果を端末装置に示した後、方法は、
構成されたデータスケジューリング粒度に従って端末装置のためにデータスケジューリングを実行すること、
スケジュールされたデータを獲得し、スケジュールされたデータの各データスケジューリング粒度に、スケジュールされたデータを復調するために要求される復調基準信号をマップすること、および
復調結果に従って端末装置を相手にデータ送信を実行することをさらに含み、
リソースマッピングは、その特定の周波数スペクトル上の搬送波上の第１の無線通信システムのための構成されたデータスケジューリング粒度に従って復調基準信号上で実行される。
【００２０】
本発明の実施形態の第２の態様が、
基地局によって示される、特定の周波数スペクトル上のいくつかの搬送波上、またはすべての搬送波上のデータスケジューリング粒度のオプションを受信することであって、データスケジューリング粒度のオプションは、その特定の周波数スペクトル上の搬送波上の第１の無線通信システムのための時間領域および周波数領域における構成されたデータスケジューリング粒度を含むこと、および
基地局によって示されるデータスケジューリング結果を受信し、復調基準信号に従ってデータスケジューリング結果を復調し、基地局を相手にデータ送信を実行することを含む、端末装置に適用されたデータスケジューリング方法であって、
リソースマッピングは、その特定の周波数スペクトル上の搬送波上の第１の無線通信システムのための構成されたデータスケジューリング粒度に従って復調基準信号上で実行されるデータスケジューリング方法を提供する。
【００２１】
本発明のこの実施形態における第２の態様の第１の実施手法において、基地局によって示されるデータスケジューリング結果を受信することは、
共有される特定の周波数スペクトル上の搬送波上のスケジューリング情報に従って、その特定の周波数スペクトル上の第１の無線通信システムのためのデータスケジューリング結果を受信すること、または
共有される特定の周波数スペクトル上の搬送波とは別のスペクトル上の搬送波上のスケジューリング情報に従って、その特定の周波数スペクトル上の第１の無線通信システムのためのデータスケジューリング結果を受信することを含む。
【００２２】
本発明のこの実施形態における第２の態様の第２の実施手法において、共有される特定の周波数スペクトル上の搬送波上のスケジューリング情報に従って、その特定の周波数スペクトル上の第１の無線通信システムのためのデータスケジューリング結果を受信することは、
少なくとも１のＯＦＤＭシンボルにおいて物理ダウンリンク制御チャネル上でブラインド検出を実行して、その特定の周波数スペクトル上のスケジューリング情報を獲得すること、および
共有される特定の周波数スペクトル上の搬送波上のスケジューリング情報に従って、その特定の周波数スペクトル上の第１の無線通信システムのためのデータスケジューリング結果を受信することを含む。
【００２３】
本発明の実施形態の第３の態様が、
特定の周波数スペクトル上の搬送波上で第１の無線通信システムのために時間領域および周波数領域においてデータスケジューリング粒度を構成し、そのデータスケジューリング粒度をインジケーションユニットに送るように構成された構成ユニットと、
その特定の周波数スペクトル上のいくつかの搬送波上、またはすべての搬送波上のデータスケジューリング粒度のオプションを端末装置に示し、そのデータスケジューリング粒度をデータスケジューリングユニットに送るように構成されたインジケーションユニットと、
データスケジューリング粒度のオプションにおいて示されるデータスケジューリング粒度に従って端末装置のためにデータスケジューリングを実行し、対応するデータスケジューリング結果を端末装置に示すように構成されたデータスケジューリングユニットとを含む、基地局側に適用されたデータスケジューリング装置を提供する。
【００２４】
本発明のこの実施形態における第３の態様の第１の実施手法において、装置は、
構成ユニットによって送られたデータスケジューリング粒度、およびデータスケジューリングユニットによって送られたデータスケジューリング結果を受信し、スケジュールされたデータに関する各データスケジューリング粒度にマップされた復調基準信号を獲得し、復調基準信号に従ってスケジュールされたデータを復調し、端末装置を相手にデータ送信を実行するように構成された第１のデータ送信ユニットをさらに含み、リソースマッピングが、構成ユニットによって出力されるデータスケジューリング粒度に従って復調基準信号上で実行される。
【００２５】
本発明のこの実施形態における第３の態様の第２の実施手法において、構成ユニットは、
その特定の周波数スペクトル上の搬送波上で適用された第２の無線通信システムが存在するかどうかを検出し、その特定の周波数スペクトル上の搬送波上で適用された第２の無線通信システムが存在しない場合、第１の構成モジュールを実行するように構成された検出モジュールと、
時間領域において、第１の無線通信システムの有効長が、データスケジューリング期間における利用可能な共有されるデータチャネルの持続時間であり、周波数領域において、第１の無線通信システムの有効長が、１のリソースブロックの周波数領域幅であるデータスケジューリング粒度を構成するように構成された第１の構成モジュールとを含む。
【００２６】
本発明のこの実施形態における第３の態様の第３の実施手法において、構成ユニットは、
その特定の周波数スペクトル上の搬送波上で適用された第２の無線通信システムが存在するかどうかを検出し、その特定の周波数スペクトル上の搬送波上で適用された第２の無線通信システムが存在する場合、第２の構成モジュールまたは第３の構成モジュールを実行するように構成された検出モジュール、および
時間領域において、第１の無線通信システムのためのデータスケジューリングの有効長が、１のＯＦＤＭシンボルの時間領域長であり、周波数領域において、第１の無線通信システムのためのデータスケジューリングの有効長が、データスケジューリング期間における利用可能な共有されるデータチャネルの帯域幅のＳ倍であり、Ｓは、０より大きく、１以下である数値であるデータスケジューリング粒度を構成するように構成された第２の構成モジュール、または
その特定の周波数スペクトルの共有される特定の周波数スペクトル上の搬送波上で第１の無線通信システムのために時間領域および周波数領域においてデータスケジューリング粒度を構成するように構成された第３の構成モジュールであって、時間領域において、第１の無線通信システムのためのデータスケジューリングの有効長は、１のＯＦＤＭシンボルの時間領域長であり、周波数領域において、第１の無線通信システムのためのデータスケジューリングの有効長は、データスケジューリング期間における利用可能な共有されるデータチャネルの帯域幅のＳ倍であり、Ｓは、０より大きく、１以下である数値である第３の構成モジュールを含む。
【００２７】
本発明のこの実施形態における第３の態様の第４の実施手法において、インジケーションユニットは、
データスケジューリング粒度のオプションから、その特定の周波数スペクトル上の搬送波上の第１の無線通信システムのための時間領域および／または周波数領域におけるデータスケジューリング粒度を獲得するように構成された獲得モジュール、および
共有される特定の周波数スペクトル上の搬送波上のスケジューリング情報を使用することによって、時間領域および／または周波数領域におけるデータスケジューリング粒度を端末装置に示し、データスケジューリング粒度をデータスケジューリングユニットに送るように構成された第１のインジケーションモジュール、または
共有される特定の周波数スペクトル上の搬送波とは別のスペクトル上の搬送波上のスケジューリング情報を使用することによって、時間領域および／または周波数領域におけるデータスケジューリング粒度を端末装置に示し、データスケジューリング粒度をデータスケジューリングユニットに送るように構成された第２のインジケーションモジュールを含む。
【００２８】
本発明のこの実施形態における第３の態様の第５の実施手法において、データスケジューリングユニットは、
時間領域における、第１の無線通信システムのためのデータスケジューリングの有効長が、データスケジューリング期間における利用可能な共有されるデータチャネルの持続時間であり、周波数領域における、第１の無線通信システムのためのデータスケジューリングの有効長が、１のリソースブロックＰＲＢの周波数領域幅であるデータスケジューリング粒度に従って端末装置のためにデータスケジューリングを実行し、対応するデータスケジューリング結果を獲得するように構成された第１のデータスケジューリングモジュールと、
共有されない特定の周波数スペクトル上のスケジューリング情報を使用することによって、その特定の周波数スペクトルの共有される特定の周波数スペクトルのデータスケジューリング結果を端末装置に示し、または共有される特定の周波数スペクトル上のスケジューリング情報を使用することによって、共有される特定の周波数スペクトルのデータスケジューリング結果を端末装置に示し、データスケジューリング結果を第１のデータ送信ユニットに送るように構成された第２のデータインジケーションモジュールとを含み、
共有されない特定の周波数スペクトル上、または共有される特定の周波数スペクトル上のスケジューリング情報は、物理ダウンリンク制御チャネルＰＤＣＣＨ命令または拡張された物理ダウンリンク制御チャネルＥ−ＰＤＣＣＨ命令である。
【００２９】
本発明のこの実施形態における第３の態様の第６の実施手法において、第２の構成モジュールが構成のために使用される場合、データスケジューリングユニットは、
データスケジューリング期間における利用可能な共有されるデータチャネルの帯域幅のＳ倍が周波数領域における有効長として使用されるデータスケジューリング粒度に従って、および／または時間領域における有効長が、スケジューリング情報を使用することによって示されるデータスケジューリング粒度に従って端末装置のためのデータスケジューリングを実行し、対応するデータスケジューリング結果を獲得するように構成された第２のデータスケジューリングモジュールと、
ＬＴＥ共有されない周波数スペクトル上の一次セル上のスケジューリング情報を使用することによって、共有される周波数スペクトル上の二次セル上のデータスケジューリング結果を端末装置に示し、またはＬＴＥ共有される周波数スペクトル上の二次セル上のスケジューリング情報を使用することによって、共有される周波数スペクトル上の二次セル上のデータスケジューリング結果を端末装置に示し、データスケジューリング結果を第１のデータ送信ユニットに送るように構成された第３のインジケーションモジュールとを含む。
【００３０】
本発明のこの実施形態における第３の態様の第７の実施手法において、第３の構成モジュールが構成のために使用される場合、データスケジューリングユニットは、
その特定の周波数スペクトルの共有される特定の周波数スペクトル上の搬送波上の時間領域および周波数領域におけるデータスケジューリング粒度、またはその特定の周波数スペクトルの共有されない特定の周波数スペクトル上の搬送波上の時間領域および周波数領域におけるデータスケジューリング粒度に従って端末装置のためにデータスケジューリングを実行し、対応するデータスケジューリング結果を獲得するように構成された第３のデータスケジューリングモジュールと、
共有されない特定の周波数スペクトル上のスケジューリング情報を使用することによって、共有される特定の周波数スペクトルのデータスケジューリング結果を端末装置に示し、または共有される特定の周波数スペクトル上のスケジューリング情報を使用することによって、共有される特定の周波数スペクトルのデータスケジューリング結果を端末装置に示し、データスケジューリング結果を第１のデータ送信ユニットに送るように構成された第４のインジケーションモジュールとを含む。
【００３１】
本発明のこの実施形態における第３の態様の第８の実施手法において、データスケジューリングユニットは、
データスケジューリングが、データスケジューリング粒度のオプションにおいて示される、その特定の周波数スペクトル上の第１の無線通信システムのための異なるデータスケジューリング粒度に従って端末装置のために実行される場合、データスケジューリング結果を表すのにスケジューリング情報の同一のリソーススケジューリングフィールドを使用するように構成された統一されたフォーマットモジュールをさらに含む。
【００３２】
本発明の実施形態の第４の態様が、
記憶媒体を有するメモリであって、基地局側がデータスケジューリングを実行するプログラムを記憶するメモリと、
バスを使用することによってメモリに接続されたプロセッサであって、本発明の前述の実施形態において提供されるデータスケジューリング方法を使用することによってプログラムを実行するプロセッサとを含む基地局を提供する。
【００３３】
本発明の実施形態の第５の態様が、無線通信システムにおいて端末装置に適用されたデータスケジューリング装置を提供し、装置は、
基地局によって示されるデータスケジューリング粒度のオプションを受信するように構成された受信ユニットであって、データスケジューリング粒度のオプションは、特定の周波数スペクトル上の搬送波上の第１の無線通信システムのための構成されたデータスケジューリング粒度を含み、その特定の周波数スペクトルは、共有される特定の周波数スペクトルと、共有されない特定の周波数スペクトルとを含む受信ユニットと、
基地局によって示されるデータスケジューリング結果を受信し、復調基準信号に従ってデータスケジューリング結果を復調し、基地局を相手にデータ送信を実行するように構成された第２のデータ送信ユニットであって、リソースマッピングが、その特定の周波数スペクトル上の第１の無線通信システムのための構成されたデータスケジューリング粒度に従って復調基準信号上で実行される第２のデータ送信ユニットとを含む。
【００３４】
本発明のこの実施形態における第５の態様の第１の実施手法において、第２のデータ送信ユニットは、
共有される特定の周波数スペクトル上のスケジューリング情報に従って、その特定の周波数スペクトル上の搬送波上の第１の無線通信システムのためのデータスケジューリング結果を受信するように構成された第１の受信モジュールと、
共有される特定の周波数スペクトルとは別のスペクトル上の搬送波上のスケジューリング情報に従って、その特定の周波数スペクトル上の搬送波上の第１の無線通信システムのためのデータスケジューリング結果を受信するように構成された第２の受信モジュールとを含む。
【００３５】
本発明のこの実施形態における第５の態様の第２の実施手法において、第１の受信モジュールは、
少なくとも１のＯＦＤＭシンボルにおける物理ダウンリンク制御チャネル上でブラインド検出を実行して、その特定の周波数スペクトル上のスケジューリング情報を獲得するように構成されたブラインド検出モジュールを含む。
【００３６】
本発明の実施形態の第６の態様が、
記憶媒体を有するメモリであって、データスケジューリングが端末装置側で実行されるプログラムを記憶するメモリと、
バスを使用することによってメモリに接続されたプロセッサであって、本発明の前述の実施形態において提供されるデータスケジューリング方法を使用することによってそのプログラムを実行するプロセッサとを含む端末装置を提供する。
【００３７】
従来技術と比較されて、本発明の実施形態は、データスケジューリング方法およびデータスケジューリング装置、基地局、および端末装置を開示することが前述の技術的ソリューションから知られることが可能である。方法によれば、各特定の周波数スペクトル上の搬送波上で無線通信システムのためのデータスケジューリング粒度が構成され、特定の周波数スペクトルが別の無線通信システムと共有される場合、端末装置のためのデータスケジューリングが、その特定の周波数スペクトル上の搬送波上の構成されたデータスケジューリング粒度を使用することによって実行され、その特定の周波数スペクトル上の搬送波上のデータスケジューリング結果が、端末装置に示される。各特定の周波数スペクトル上の搬送波上で無線通信システムのためのデータスケジューリング粒度が構成され、したがって、特定の周波数スペクトル上の搬送波リソースがシステム間で使用される場合、システムリソースのより均一な分配、およびより多くの使用という目的が実現される。
【図面の簡単な説明】
【００３８】
本発明の実施形態における、または従来技術における技術的ソリューションをより明確に説明するのに、以下が、実施形態または従来技術を説明するために要求される添付の図面を簡単に概説する。明らかに、以下の説明における添付の図面は、本発明の実施形態を示すに過ぎず、当業者は、独創的な取組みなしにこれらの添付の図面から他の図面を、それでも導き出す。
【００３９】
【図１】共有される特定の周波数スペクトル上でＬＴＥシステムおよびＷｉＦｉシステムによって実行されるデータ送信中の周波数スペクトル使用を示す概略図である。
【図２】ＬＴＥシステムのためのＰＲＢを示す定義図である。
【図３】ＬＴＥシステムが、認可されたスペクトル上でデータスケジューリングを実行した後に得られる周波数スペクトル使用を示す概略図である。
【図４】ＷｉＦｉシステムが、無認可のスペクトル上でデータスケジューリングを実行した後に得られる周波数スペクトル使用を示す概略図である。
【図５】本発明の実施形態１によるデータスケジューリング方法を示す流れ図である。
【図６】本発明の実施形態２によるデータスケジューリング方法を示す流れ図である。
【図７】本発明の実施形態３によるデータスケジューリング結果を端末装置に示す手法を示す概略図である。
【図８】本発明の実施形態３によるデータスケジューリング結果を端末装置に示す別の手法を示す概略図である。
【図９】本発明の実施形態３による、データスケジューリング結果が端末装置に示された後に得られる、無線通信システムにおけるＴＴＩスケジューリング期間内のリソース占有を示す概略図である。
【図１０】本発明の実施形態３による、データスケジューリング粒度に基づいて、端末装置上に対して実行されるデータスケジューリングを示す概略図である。
【図１１】本発明の実施形態３による、別のデータスケジューリング粒度に基づいて、端末装置上に対して実行されるデータスケジューリングを示す概略図である。
【図１２】本発明の実施形態３による、別のデータスケジューリング粒度に基づいて、端末装置上に対して実行されるデータスケジューリングを示す概略図である。
【図１３】本発明の実施形態３による復調基準信号のリソースマッピング手法を示す概略図である。
【図１４】本発明の実施形態４によるデータスケジューリング方法を示す流れ図である。
【図１５】本発明の実施形態４による、ＬＴＥシステムとＷｉＦｉシステムが特定の周波数スペクトルリソースを共有する後に得られる無線フレームを示す概略構造図である。
【図１６】本発明の実施形態５によるデータスケジューリング装置を示す概略構造図である。
【図１７】本発明の実施形態５による基地局を示す概略構造図である。
【図１８】本発明の実施形態６によるデータスケジューリング装置を示す概略構造図である。
【図１９】本発明の実施形態６による端末装置を示す概略構造図である。
【発明を実施するための形態】
【００４０】
参照および明確さのため、以下の内容において使用される技術用語の説明、省略形、および頭字語が、以下のとおり要約される。
【００４１】
ＵＥ：Ｕｓｅｒ  Ｅｑｕｉｐｍｅｎｔ、ユーザ機器、ＷｉＦｉ：Ｗｉｒｅｌｅｓｓ  Ｆｉｄｅｌｉｔｙ、ワイヤレスフィデリティ、
ｅＮＢ：ｅｖｏｌｂｅｄ  Ｎｏｄｅ  Ｂ、発展型ノードＢ、
ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重化、
Ｓｕｂｆｒａｍｅ：サブフレーム、ＬＴＥ：Ｌｏｎｇ  Ｔｅｒｍ  Ｅｖｏｌｕｔｉｏｎ、ロングタームエボリューション、
ＰＲＢ：Ｐｈｙｓｉｃａｌ  Ｒｅｓｏｕｒｃｅ  Ｂｌｏｃｋ、物理リソースブロック、
ＰＤＳＣＨ：Ｐｈｙｓｉｃａｌ  Ｄｏｗｎｌｉｎｋ／Ｓｈａｒｅｄ  Ｃｈａｎｎｅｌ、物理ダウンリンク共有チャネル、
ＰＤＣＣＨ：Ｐｈｙｓｉｃａｌ  Ｄｏｗｎｌｉｎｋ  Ｃｏｎｔｒｏｌ  Ｃｈａｎｎｅｌ、物理ダウンリンク制御チャネル、
Ｅ−ＰＤＣＣＨ：拡張された物理ダウンリンク制御チャネル、ＴＴＩ：スケジューリング粒度、および
Ｐｒｉｍａｒｙ  ｃｅｌｌ：一次セル、Ｓｅｃｏｎｄａｒｙ  ｃｅｌｌ：２次セル。
【００４２】
以下は、本発明の実施形態における添付の図面を参照して、本発明の実施形態における技術的ソリューションを明確に、完全に説明する。明らかに、説明される実施形態は、本発明の実施形態のすべてではなく、いくつかに過ぎない。独創的な取組みなしに本発明の実施形態に基づいて当業者によって得られる他のすべての実施形態は、本発明の保護範囲に入るものとする。
【００４３】
従来技術において、データ送信中、ＬＴＥシステムが、時間領域および周波数領域におけるアップリンク／ダウンリンク物理リソースをリソースブロック（ＰＲＢ）に形成し、そのＰＲＢを、スケジューリングおよび割当てのための物理リソースユニットとして使用する。図１に示されるとおり、１のＰＲＢは、周波数領域において１２の連続する副搬送波（１のＰＲＢにおける副搬送波の量は、
【００４４】
【数１】
0006356793.tif 000002
【００４５】
として表される）を含み、時間領域において７の連続する直交周波数分割多重化（ＯＦＤＭ）シンボル（拡張されたＣＰの事例において６のシンボル）を含む。すなわち、ＰＲＢの周波数領域幅Δｆは、１８０ｋＨｚであり、ＰＲＢの時間領域長は、０．５ミリ秒である。図１におけるＲ０は、アンテナ０のパイロットシンボルを参照し、Ｒ１は、アンテナ１のパイロットシンボルである。Ｒ２は、アンテナ２のパイロットシンボルであり、Ｒ３は、アンテナ３のパイロットシンボルである。
【００４６】
ＬＴＥ  Ｒｅｌ−８／９／１０通信システムのダウンリンク送信中、発展型ノードＢ（ｅＮＢ）が、スケジューリング結果に従って各スケジュールされたユーザ機器（ＵＥ）に物理ダウンリンク／アップリンク共有されるチャネル（ＰＤＳＣＨ／ＰＵＳＣＨ）、およびＰＤＳＣＨ／ＰＵＳＣＨに対応する物理ダウンリンク制御チャネル（ＰＤＣＣＨ）を送り、ＰＤＣＣＨおよびＰＤＳＣＨは、サブフレーム（Ｓｕｂｆｒａｍｅ）において時分割多重化される。したがって、ＬＴＥシステムにおいて、ある時刻におけるＵＥ上のスケジューリングは、時間領域において１ミリ秒であり、周波数領域において、一般に、
【００４７】
【数２】
0006356793.tif 000003
【００４８】
であり、ここで、
【００４９】
【数３】
0006356793.tif 000004
【００５０】
および
【００５１】
【数４】
0006356793.tif 000005
【００５２】
は、それぞれ、ダウンリンクＰＲＢの量、およびアップリンクＰＲＢの量である。図２に示される斜線部分は、ＬＴＥシステムが認可されたスペクトル上でデータスケジューリングを実行した後に得られる周波数スペクトル使用の概略図である。
【００５３】
データ送信中、ＷｉＦｉシステムが、ＲＴＳ／ＣＴＳプロトコルを使用することによってユーザのためにアップリンクデータおよびダウンリンクデータの送信リソースをスケジュールする。ＷｉＦｉが、ＯＦＤＭ変調スキームを使用し、ＯＦＤＭシンボルの長さは、４マイクロ秒である。システムリソースの使用がリッスンされた後、図３および図４に示されるとおり、ＵＥによってデータ送信プロセスにおいて占有される周波数領域リソースは、ＷDLであり、これは、周波数スペクトルリソース全体の幅（図３に示される２０ＭＨｚ）であり、時間領域リソースは、ｎ＊ＴOFDMであり、ＴOFDMは、１のＯＦＤＭシンボルの時間長であり、ｎのサイズは、送信されるべきデータパケットのサイズ、ユーザのチャネルステータスなどに依存する。
【００５４】
背景技術から、データ送信中のＬＴＥシステムとＷｉＦｉシステムの異なるデータ処理手法に基づいて、ＬＴＥシステムとＷｉＦｉシステムの間のデータ送信のプロセスにおいて、特定の周波数スペクトル上の搬送波リソースがシステム間で共有される場合、送信機会が不均一に分配され、システムリソースが十分に使用されないという問題が生じることが知られることが可能である。要件によれば、本発明の実施形態は、データスケジューリング方法およびデータスケジューリング装置、基地局、および端末装置を開示する。特定の内容が、以下の実施形態を使用することによって詳細に説明される。
【００５５】
本発明の実施形態の中核の発想は、以下のとおりである。基地局側で、データ送信より前に、特定の周波数スペクトル上の搬送波上で第１の無線通信システムのためのデータスケジューリング粒度が構成され、データ送信中、その特定の周波数スペクトル上の搬送波上の構成されたデータスケジューリング粒度を使用することによって、端末装置のためのデータスケジューリングが実行され、データスケジューリング結果が、端末装置に示され、端末装置側で、特定の周波数スペクトル上の搬送波上の第１の無線通信システムのために基地局によって構成されたデータスケジューリング粒度、および基地局のデータスケジューリングメッセージが、獲得され、データスケジューリング結果が、データスケジューリング粒度およびデータスケジューリングメッセージに従って獲得される。詳細は、以下の実施形態において特に説明される。
【００５６】
実施形態１
図５に示されるとおり、図５は、本発明の実施形態によるデータスケジューリング方法の流れ図である。データスケジューリング方法は、基地局に適用され、以下のステップを主に含む。
【００５７】
ステップＳ１０１：基地局が、特定の周波数スペクトル上の搬送波上で第１の無線通信システムのために時間領域および周波数領域においてデータスケジューリング粒度を構成する。
【００５８】
ステップＳ１０１において、基地局は、その特定の周波数スペクトル上の搬送波上で第１の無線通信システムのために時間領域および周波数領域においてデータスケジューリング粒度を特に構成する。特に、その特定の周波数スペクトル上の搬送波は、共有される特定の周波数スペクトル上の搬送波と、共有されない特定の周波数スペクトル上の搬送波とを含み、共有される特定の周波数スペクトルは、異なる無線通信システム間で共有することを許された、複数の搬送波における搬送波に対応し、共有されない特定の周波数スペクトルは、通信が特定の無線通信システムによってだけ実行されることを許される、複数の搬送波における搬送波に対応する。
【００５９】
構成中に、その特定の周波数スペクトルの共有される特定の周波数スペクトル上の搬送波上で、その共有される特定の周波数スペクトル上の搬送波のデータスケジューリング粒度が、現在の第１の無線通信システムのために時間領域および周波数領域において構成され、したがって、共有される特定の周波数スペクトル上の搬送波上の時間領域および周波数領域におけるデータスケジューリング粒度は、周波数スペクトルリソースを共有する第２の無線通信システムのためのデータスケジューリング粒度により近く、共有される特定の周波数スペクトル上のリソース共有が、第１の無線通信システムと第２の無線通信システムの間で、より完全に、より適切に実行される。特定の周波数スペクトルの共有されない特定の周波数スペクトル上の搬送波上で、基地局が、その特定の周波数スペクトル上の搬送波上で第１の無線通信システムのためのデータスケジューリング粒度を、デフォルトの構成手法で、または特定の周波数スペクトルリソースが共有される場合に使用される割当て手法で構成する。
【００６０】
ステップ１０２：基地局が、その特定の周波数スペクトル上のいくつかの搬送波上、またはすべての搬送波上のデータスケジューリング粒度のオプションを端末装置に示す。
【００６１】
ステップ１０２において、データスケジューリング粒度のオプションは、その特定の周波数スペクトル上のいくつかの搬送波上、またはすべての搬送波上の第１の無線通信システムのための時間領域および周波数領域における構成されたデータスケジューリング粒度を含む。ステップ１０２が実行される場合、その特定の周波数スペクトル上のいくつかの搬送波上、またはすべての搬送波上の周波数領域および／または時間領域におけるデータスケジューリング粒度が、データスケジューリング粒度のオプションを使用することによって端末装置に示される。
【００６２】
ステップＳ１０２におけるインジケーションを介して、端末装置は、ステップＳ１０１において、その特定の周波数スペクトル上の搬送波上で第１の無線通信システムのためにデータスケジューリング粒度を構成する手法を決定する。
【００６３】
ステップＳ１０３：基地局が、その特定の周波数スペクトル上の搬送波上の構成されたデータスケジューリング粒度に従って端末装置のためにデータスケジューリングを実行し、データスケジューリングの後に得られたデータスケジューリング結果を端末装置に示す。
【００６４】
ステップＳ１０３において、基地局は、ステップＳ１０１におけるその特定の周波数スペクトル上の搬送波上の構成されたデータスケジューリング粒度のタイプに従って端末装置のためにデータスケジューリングを実行し、対応するデータスケジューリング結果を獲得する。すなわち、ステップＳ１０１における、デフォルトのデータスケジューリング粒度構成手法が使用される搬送波に関して、基地局は、搬送波上で、端末装置のためのデータスケジューリングを既存の手法で実行し、ステップＳ１０１において、特定の周波数スペクトルリソースが別のシステムと共有される場合に存在する別のデータスケジューリング粒度構成手法が使用される搬送波に関して、基地局は、搬送波上で、構成の後に得られる新たなデータスケジューリング粒度に従って端末装置のためにデータスケジューリングを実行する。
【００６５】
本発明のこの実施形態において、特定の周波数スペクトル上の搬送波上で第１の無線通信システムのためのデータスケジューリング粒度が構成され、したがって、その特定の周波数スペクトル上の搬送波上の時間領域および周波数領域におけるデータスケジューリング粒度は、共存する第２の無線通信システムのためのデータスケジューリング粒度により近く、端末装置のためにデータスケジューリングが、その特定の周波数スペクトル上の搬送波上の構成されたデータスケジューリング粒度を使用することによって実行され、最後に、対応するデータスケジューリング結果が端末装置に示される。前述の構成手法に基づいて、特定の周波数スペクトルリソースが、その特定の周波数スペクトルにおけるシステム間で使用される場合、システムリソースのより均一な割当て、およびより多くの使用という目的が実現される。
【００６６】
実施形態２
本発明の実施形態１において開示されるデータスケジューリング方法に関して、図５に示されるステップＳ１０１を実行するプロセスにおいて、特定の周波数スペクトル上の搬送波上で第１の無線通信システムのためにデータスケジューリング粒度が構成される場合、すなわち、その特定の周波数スペクトル上の搬送波上で第１の無線通信システムのために時間領域および周波数領域においてデータスケジューリング粒度が、その特定の周波数スペクトル上の搬送波上に存在する第１の無線通信システムのステータスに従って構成される場合、構成は、２の手法で実行され、したがって、データスケジューリング粒度は、構成が２の異なる手法で実行された後に得られる。
【００６７】
第１の手法において、その特定の周波数スペクトル上の搬送波上で適用された第２の無線通信システムは、存在しない。この事例において、その特定の周波数スペクトル上のすべての搬送波上で第１の無線通信システムのためにデフォルトのデータスケジューリング粒度が使用されることが決定される。
【００６８】
第２の手法において、その特定の周波数スペクトル上の搬送波上で適用された第２の無線通信システムが存在する場合、２の状況が存在する。第１の状況において、その特定の周波数スペクトルにおけるすべての搬送波上で構成されるべき第１の無線通信システムのためのデフォルトの構成とは異なる同一のデータスケジューリング粒度が、決定される。第２の状況において、その特定の周波数スペクトルの共有される特定の周波数スペクトル上の搬送波上のデータスケジューリング粒度が決定され、そのデータスケジューリング粒度は、第１の無線通信システムのためのデフォルトのデータスケジューリング粒度とは異なり、その特定の周波数スペクトルの共有されない特定の周波数スペクトル上の搬送波上でデフォルトの構成手法が使用され、すなわち、第１の無線通信システムのためのデフォルトのデータスケジューリング粒度が使用される。本発明の実施形態２において、構成されたデータスケジューリング粒度が、その２の手法を参照して説明される。
【００６９】
第１の手法において、その特定の周波数スペクトル上の搬送波上で第１の無線通信システムのために時間領域および周波数領域においてデータスケジューリング粒度が構成される場合、その特定の周波数スペクトル上の搬送波が、共有されない特定の周波数スペクトル上の搬送波だけを含み、ＬＴＥシステムだけが存在し、第２の無線通信システムが存在しない場合、使用される構成手法は、以下のとおりである。
【００７０】
現在のＬＴＥシステム（ＬＴＥシステムは、第１の無線通信システムである）のためのデータスケジューリングに関して、ＬＴＥのためのデータスケジューリング粒度は、ＬＴＥのための既存のスケジューリング粒度ＰＲＢである。すなわち、時間領域において、ＬＴＥのためのデータスケジューリング粒度の有効長は、データスケジューリング期間における利用可能な共有されるデータチャネルの持続時間であり、周波数領域において、ＬＴＥのためのデータスケジューリング粒度の有効長は、１のＰＲＢの周波数領域幅である。
【００７１】
前述の構成は、その特定の周波数スペクトルにおけるデフォルトのデータスケジューリング粒度である。
【００７２】
第２の手法において、その特定の周波数スペクトル上の搬送波上で第１の無線通信システムのために時間領域および周波数領域においてデータスケジューリング粒度が構成される場合、ＬＴＥシステムとＷｉＦｉシステム（ＷｉＦｉシステムは、第２の無線通信システムである）が、その特定の周波数スペクトルの共有される特定の周波数スペクトル上の搬送波上に共存する場合、使用される構成手法に関して２の事例が存在する。
【００７３】
第１の事例において、現在のＬＴＥシステムのためのデータスケジューリングに関して、時間領域において、ＬＴＥシステムのためのデータスケジューリング粒度は、１のＯＦＤＭシンボルの時間領域長であり、周波数領域において、ＬＴＥシステムのためのデータスケジューリング粒度の有効長は、データスケジューリング期間における利用可能な共有されるデータチャネルの帯域幅のＳ倍であり、Ｓの値は、０より大きく、１以下である数値である。
【００７４】
ＬＴＥシステムのための、周波数領域における、データスケジューリング粒度の前述の有効長は、一般に、データスケジューリング期間における利用可能な共有されるデータチャネルの帯域幅の１倍であることに留意されたい。
【００７５】
Ｓの値が、０より大きく、１以下である数値である場合、データスケジューリング期間における利用可能な共有されるデータチャネルの帯域幅が、データスケジューリング粒度に従って１／Ｓの部分に分割され、共有されるデータチャネルの帯域幅の１の部分が、周波数領域におけるデータスケジューリング粒度の有効長として使用される。さらに、帯域幅が１／Ｓの部分に分割される場合、各部分におけるリソースの量は、整数であるように、または整数にほぼ等しいようにされる。
【００７６】
第２の事例において、
その特定の周波数スペクトルの共有される特定の周波数スペクトル上の搬送波上で、現在のＬＴＥシステムのためのデータスケジューリングに関して、時間領域において、ＬＴＥシステムのためのデータスケジューリング粒度は、１のＯＦＤＭシンボルの時間領域長であり、周波数領域において、ＬＴＥシステムのためのデータスケジューリング粒度の有効長は、データスケジューリング期間における利用可能な共有されるデータチャネルの帯域幅のＳ倍であり、Ｓの値は、０より大きく、１以下である数値である。
【００７７】
ＬＴＥシステムのための、周波数領域における、データスケジューリング粒度の前述の有効長は、一般に、データスケジューリング期間における利用可能な共有されるデータチャネルの帯域幅の１倍であることに留意されたい。
【００７８】
Ｓの値が、０より大きく、１以下である数値である場合、データスケジューリング期間における利用可能な共有されるデータチャネルの帯域幅が、データスケジューリング粒度に従って１／Ｓの部分に分割され、共有されるデータチャネルの帯域幅の１の部分が、周波数領域におけるデータスケジューリング粒度の有効長として使用される。さらに、帯域幅が１／Ｓの部分に分割される場合、各部分におけるリソースの量は、整数であるように、または整数にほぼ等しいようにされる。
【００７９】
その特定の周波数スペクトルの共有されない特定の周波数スペクトル上の搬送波上で、ＬＴＥシステムのためのデータスケジューリングの各回に関して、ＬＴＥのためのデータスケジューリング粒度は、ＬＴＥのための既存のスケジューリング粒度ＰＲＢである。すなわち、時間領域において、ＬＴＥのためのデータスケジューリング粒度の有効長は、データスケジューリング期間における利用可能な共有されるデータチャネルの持続時間であり、周波数領域において、ＬＴＥのためのデータスケジューリング粒度の有効長は、１のＰＲＢの周波数領域幅である。構成は、その特定の周波数スペクトルにおけるデフォルトのデータスケジューリング粒度である。
【００８０】
ステップＳ１０２において、基地局は、その特定の周波数スペクトル上のいくつかの搬送波上、またはすべての搬送波上でデータスケジューリング粒度のオプションを端末装置に示す。
【００８１】
特に、第１の手法が使用される場合、その特定の周波数スペクトルにおけるすべての搬送波上でデフォルトのデータスケジューリング粒度が使用され、インジケーションは、要求されない。端末装置は、その特定の周波数スペクトル上の搬送波上でデータスケジューリング粒度構成インジケーションがまったく受信されない場合、デフォルトのデータスケジューリング粒度を使用する。
【００８２】
第２の手法が使用される場合、第１の事例において、その特定の周波数スペクトル上のすべての搬送波上で、デフォルトの構成とは異なる同一のデータスケジューリング粒度が構成されるため、基地局は、その特定の周波数スペクトル上のすべての搬送波上のデータスケジューリング粒度のオプションを端末装置に示す必要がある。第２の状況において、その特定の周波数スペクトルの共有されない特定の周波数スペクトル上の搬送波上でデフォルトの構成が使用されるため、この事例においてインジケーションは要求されない。端末装置が、その特定の周波数スペクトルの共有されない特定の周波数スペクトル上の搬送波上のデータスケジューリング粒度構成インジケーションを受信しないとき、すなわち、端末装置が、その特定の周波数スペクトルの共有されない特定の周波数スペクトル上の搬送波上でデフォルトのデータスケジューリング粒度を使用し、その特定の周波数スペクトルの共有される特定の周波数スペクトル上のいくつかの搬送波上のデータスケジューリング粒度のオプションが端末装置に示されることだけが要求される。
【００８３】
その特定の周波数スペクトル上の搬送波上のＬＴＥシステムのための時間領域および周波数領域におけるデータスケジューリング粒度が、前述の構成を使用することによって獲得されることが可能であり、前述の構成から得られるＬＴＥシステムのためのデータスケジューリング粒度は、共有される特定の周波数スペクトル上の搬送波上のＷｉＦｉシステムのためのデータスケジューリング粒度に可能な限り近く、したがって、共有される特定の周波数スペクトルリソースが、ＬＴＥシステムとＷｉＦｉシステムの間でより十分に、より適切に共有される。
【００８４】
前述の２の異なる割当て手法に基づいて、少なくとも３のタイプのデータスケジューリング粒度が得られることが可能であり、第１のタイプは、ＰＲＢのデータスケジューリング粒度であり、第２のタイプは、時間領域における１のＯＦＤＭシンボル、および周波数領域における帯域幅全体を占有するデータスケジューリング粒度であり、第３のタイプは、時間領域における１のＯＦＤＭシンボル、および周波数領域における帯域幅のＳ倍を占有するデータスケジューリング粒度である。より多くの異なるデータスケジューリング粒度が、Ｓの異なる値に従って得られる。基地局は、前述の少なくとも３のタイプのデータスケジューリング粒度に番号を付け、その後、端末装置に通知するように番号だけを送ることができる。
【００８５】
図６に示されるとおり、図６は、本発明の実施形態２によるデータスケジューリング方法の流れ図であり、方法は、以下のステップを主に含む。
【００８６】
ステップＳ２０１：基地局が、特定の周波数スペクトル上の搬送波上で適用された第２の無線通信システムが存在するかどうかを決定する。その特定の周波数スペクトル上の搬送波上で適用された第２の無線通信システムが存在しない場合、ステップＳ２０２を実行し、その特定の周波数スペクトル上の搬送波上で適用された第２の無線通信システムが存在する場合、ステップＳ２０３１またはステップＳ２０３２を実行する。
【００８７】
ステップＳ２０１において、基地局が、現在、データスケジューリングを実行する必要がある第１の無線通信システムは、ＬＴＥシステムである。
【００８８】
ステップＳ２０２：その特定の周波数スペクトル上の搬送波上でデータスケジューリング粒度を既存の手法で構成する。
【００８９】
その特定の周波数スペクトル上の搬送波上の構成されたデータスケジューリング粒度は、ＬＴＥシステムのための既存のスケジューリング粒度ＰＲＢであり、すなわち、時間領域において、第１の無線通信システムのためのデータスケジューリングの有効長は、データスケジューリング期間における利用可能な共有されるデータチャネルの持続時間であり、周波数領域において、第１の無線通信システムのためのデータスケジューリングの有効長は、１の物理リソースブロックの周波数領域幅であり、データスケジューリング粒度は、第１の無線通信システムのためのデフォルトのデータスケジューリング粒度である。
【００９０】
ステップＳ２０２において、基地局がデータスケジューリングを実行する現在の第１の無線通信システムは、ＬＴＥシステムである。
【００９１】
ステップＳ２０３１：その特定の周波数スペクトル上の搬送波上でデータスケジューリング粒度を構成する。
【００９２】
特定の構成は、以下のとおりである。時間領域において、第１の無線通信システムのためのデータスケジューリングの有効長は、１のＯＦＤＭシンボルの時間領域長であり、周波数領域において、第１の無線通信システムのためのデータスケジューリングの有効長は、データスケジューリング期間における利用可能な共有されるデータチャネルの帯域幅のＳ倍であり、Ｓは、０より大きく、１以下である数値である。
【００９３】
現在の第１の無線通信システムは、ＬＴＥシステムであり、その特定の周波数スペクトル上に存在する第２の無線通信システムは、ＷｉＦｉシステムである。
【００９４】
ステップＳ２０２３：その特定の周波数スペクトルの共有される特定の周波数スペクトル上の搬送波上の時間領域および周波数領域においてデータスケジューリング粒度を構成し、時間領域において、第１の無線通信システムのためのデータスケジューリングの有効長は、１のＯＦＤＭシンボルの時間領域長であり、周波数領域において、第１の無線通信システムのためのデータスケジューリングの有効長は、データスケジューリング期間における利用可能な共有されるデータチャネルの帯域幅のＳ倍であり、Ｓは、０より大きく、１以下である数値であり、かつ
その特定の周波数スペクトルの共有されない特定の周波数スペクトル上の搬送波上の時間領域および周波数領域におけるデータスケジューリング粒度を、ＬＴＥシステムのための既存のスケジューリング粒度ＰＲＢとして構成し、すなわち、時間領域において、第１の無線通信システムのためのデータスケジューリングの有効長は、データスケジューリング期間における利用可能な共有されるデータチャネルの持続時間であり、周波数領域において、第１の無線通信システムのためのデータスケジューリングの有効長は、１のＰＲＢの周波数領域幅であり、データスケジューリング粒度は、第１の無線通信システムのためのデフォルトのデータスケジューリング粒度である。
【００９５】
現在の第１の無線通信システムは、ＬＴＥシステムであり、その特定の周波数スペクトル上の搬送波上に存在する第２の無線通信システムは、ＷｉＦｉシステムである。
【００９６】
前述の構成の手段によって、ＬＴＥシステムのためのデータスケジューリング粒度は、ＷｉＦｉシステムのためのデータスケジューリング粒度に可能な限り近く、したがって、ＬＴＥシステムが、共有される特定の周波数スペクトル上で適用される場合、ＬＴＥシステムは、共有される特定の周波数スペクトルリソースを効果的に使用するだけでなく、より効果的な無線アクセスを提供すること、およびモバイルブロードバンドサービスに関する増大する要件も満たす。
【００９７】
ステップＳ２０４：その特定の周波数スペクトル上のいくつかの搬送波上、またはすべての搬送波上の構成されたデータスケジューリング粒度のオプションを端末装置に示す。
【００９８】
ステップＳ２０４において、ステップＳ２０２における前述のデータスケジューリング粒度構成手法が使用される場合、その特定の周波数スペクトル上のいくつかの搬送波上、またはすべての搬送波上のデータスケジューリング粒度のオプションは、ステップＳ２０２において構成された、ＬＴＥシステムのための時間領域および／または周波数領域におけるデータスケジューリング粒度を含む。第１の無線通信システムにおいて使用されるデータスケジューリング粒度が、時間領域および／または周波数領域におけるデフォルトのデータスケジューリング粒度である場合、そのデータスケジューリング粒度は、シグナリングを使用することなしに端末装置に示される。
【００９９】
ステップＳ２０３１において前述のデータスケジューリング粒度構成手法が使用される場合、その特定の周波数スペクトル上の搬送波上のデータスケジューリング粒度のオプションは、ステップＳ２０３１において構成された、ＬＴＥシステムのための時間領域および／または周波数領域におけるデータスケジューリング粒度を含む。
【０１００】
ステップＳ２０３２における前述のデータスケジューリング粒度構成手法が使用される場合、その特定の周波数スペクトルの共有される特定の周波数スペクトル上の搬送波上のデータスケジューリング粒度は、その特定の周波数スペクトルの共有されない特定の周波数スペクトル上の搬送波上のデータスケジューリング粒度とは異なる。第１の無線通信システムにおいて使用される共有されない特定の周波数スペクトル上の搬送波上のデータスケジューリング粒度が、デフォルトのデータスケジューリング粒度である場合、共有されない特定の周波数スペクトル上の搬送波上のデータスケジューリング粒度は、シグナリングを使用することなしに端末装置に示される。データスケジューリング粒度の前述のオプションにおいて、ステップＳ２０２、ステップＳ２０３１、またはステップＳ２０３２において構成されたデータスケジューリング粒度は、対応する番号によって表され、その番号は、基地局によって事前設定される。基地局が、その後、端末装置に通知する際、基地局は、その番号を送るだけでよい。例えば、ＰＲＢの第１のタイプのデータスケジューリング粒度の番号が１に事前設定され、第２のタイプのデータスケジューリング粒度の番号が２に事前設定され、第３のタイプのデータスケジューリング粒度の番号が３に事前設定される。前述のステップＳ２０２、ステップＳ２０３１、またはステップＳ２０３２を実行するプロセスにおいて、獲得された異なるタイプのデータスケジューリング粒度に、基地局は、事前設定された設定に従って対応する番号を割り当てる。
【０１０１】
すなわち、ステップＳ２０４におけるインジケーションを介して、端末装置は、データスケジューリング粒度の示されたオプションにおける特定の内容、または特定の番号、および／またはデフォルトのデータスケジューリング粒度を使用することによって、基地局が、その特定の周波数スペクトル上の搬送波上で第１の無線通信システムのためにデータスケジューリング粒度を構成する手法を決定する。
【０１０２】
ステップＳ２０５：基地局が、その特定の周波数スペクトル上の搬送波上の構成されたデータスケジューリング粒度に従って端末装置のためのデータスケジューリングを実行し、対応するデータスケジューリング結果を端末装置に示す。
【０１０３】
ステップＳ２０５において、基地局が、ステップＳ２０１において構成されたデータスケジューリング粒度のタイプに従って端末装置のためのデータスケジューリングを実行する。すなわち、ステップＳ２０２におけるデータスケジューリング粒度構成手法が使用される場合、基地局は、端末装置のためのデータスケジューリングを既存の手法で実行する。周波数スペクトルリソースがＷｉＦｉシステムと共有されるステップＳ２０３１における構成手法が、その特定の周波数スペクトル上でＬＴＥシステムのためにデータスケジューリング粒度を構成するのに使用される場合、基地局は、ＷｉＦｉシステムのためのデータスケジューリング粒度に近い構成されたデータスケジューリング粒度に従って端末装置のためのデータスケジューリングを実行する。周波数スペクトルリソースがＷｉＦｉシステムと共有されるステップＳ２０３２における構成手法が、共有される特定の周波数スペクトル上でＬＴＥシステムのためにデータスケジューリング粒度を構成するのに使用される場合、基地局は、共有される特定の周波数スペクトル上で、ＷｉＦｉシステムのためのデータスケジューリング粒度に近い構成されたデータスケジューリング粒度に従って端末装置のためのデータスケジューリングを実行し、共有されない特定の周波数スペクトル上で、端末装置のためのデータスケジューリングを既存の手法で実行する。
【０１０４】
本発明の実施形態２において、特定の周波数スペクトル上の搬送波上のＬＴＥシステムのためのデータスケジューリング粒度が構成され、したがって、ＷｉＦｉシステムも存在する場合、ＬＴＥシステムのための時間領域および周波数領域におけるデータスケジューリング粒度は、ＷｉＦｉシステムのためのデータスケジューリング粒度により近く、端末装置のためのデータスケジューリングが、構成されたデータスケジューリング粒度を使用することによって実行され、最後に、対応するデータスケジューリング結果が端末装置に示される。前述の構成手法に基づいて、その特定の周波数スペクトル上にあるＬＴＥシステムとＷｉＦｉシステムの間で周波数スペクトルリソースが使用される場合、システムリソースのより均一な分配、およびより多くの使用という目的が実現される。
【０１０５】
ステップＳ２０１において、その特定の周波数スペクトル上にＬＴＥシステムだけが存在すると決定された場合、ステップＳ２０３１またはステップＳ２０３２が実行されて、ＬＴＥシステムのためのデータスケジューリング粒度をステップＳ２０３１またはステップＳ２０３２における構成手法で構成することに留意されたい。ＬＴＥシステムのためのデータスケジューリング粒度は、必ずしも、ステップＳ２０２における構成手法で構成されない。以上は、本発明の例示的な実施形態を与える。
【０１０６】
実施形態３
本発明の実施形態１、および本発明の実施形態２において開示されるデータスケジューリング方法に基づいて、
基地局が、その特定の周波数スペクトル上の搬送波上のデータスケジューリング粒度のオプションを端末装置に示す、図５に示されるステップＳ１０２、および図６に示されるステップＳ２０４を実行するプロセスにおいて、データスケジューリング粒度のオプションにおいて、その特定の周波数スペクトル上の搬送波上の第１の無線通信システムのための、時間領域および／または周波数領域におけるデータスケジューリング粒度が獲得された後、インジケーションが２の手法で実行される。
【０１０７】
第１の手法において、時間領域および／または周波数領域におけるデータスケジューリング粒度は、共有される特定の周波数スペクトル上の搬送波上のスケジューリング情報を使用することによって端末装置に示される。
【０１０８】
第２の手法において、時間領域および／または周波数領域におけるデータスケジューリング粒度は、共有される特定の周波数スペクトル上の搬送波とは別の周波数スペクトル上の搬送波上のスケジューリング情報を使用することによって端末装置に示される。
【０１０９】
示されるデータスケジューリング粒度を構成し、生成する手法は、前述の２のインジケーション手法に限定されない。
【０１１０】
本発明の実施形態１、および本発明の実施形態２において開示されるデータスケジューリング方法に基づいて、
端末装置のためのデータスケジューリングが実行される、図５に示されるステップＳ１０３、および図６に示されるステップＳ２０５を実行するプロセスにおいて、基地局が、データスケジューリング粒度のオプションにおいて示される、その特定の周波数スペクトル上の搬送波上の構成されたデータスケジューリング粒度に従って端末装置のためのデータスケジューリングを実行し、対応するデータスケジューリング結果を端末装置に示す。
【０１１１】
図５に示されるステップＳ１０３、および図６に示されるステップＳ２０５において、端末装置のためのデータスケジューリングは、少なくとも２の手法で実行され、データスケジューリング結果は、やはり少なくとも２の手法で端末装置に示される。
【０１１２】
その特定の周波数スペクトル上の搬送波上で第１の無線通信システムのためのデータスケジューリング粒度が、本発明の実施形態２に示される２の異なる例示的な手法に従って構成され、端末装置のためのデータスケジューリングが、その特定の周波数スペクトル上の搬送波上の構成されたデータスケジューリング粒度を使用することによって実行され、データスケジューリング結果が、端末装置に示されるプロセスは、以下のとおりである。
【０１１３】
その特定の周波数スペクトル上の搬送波上で第１の無線通信システムのためのデータスケジューリング粒度が、図６に示されるステップＳ２０２における手法で構成される場合、対応するデータスケジューリング結果が、そのデータスケジューリング粒度に従って獲得される。
【０１１４】
図６に示されるステップＳ２０２における、その特定の周波数スペクトル上の搬送波上でＬＴＥシステムのためのデータスケジューリング粒度を構成する手法に基づいて、データスケジューリング粒度が得られ、端末装置のためのデータスケジューリングが実行され、データスケジューリング結果が、端末装置に示される。
【０１１５】
端末装置に関して、共有される特定の周波数スペクトル上の搬送波上のデータスケジューリング結果は、共有されない特定の周波数スペクトル上のスケジューリング情報を使用することによって端末装置に示され、または共有される特定の周波数スペクトル上の搬送波上のデータスケジューリング結果は、共有される特定の周波数スペクトル上のスケジューリング情報を使用することによって端末装置に示される。共有されない特定の周波数スペクトル上、または共有される特定の周波数スペクトル上のスケジューリング情報は、ＰＤＣＣＨ／Ｅ−ＰＤＣＣＨ命令である。
【０１１６】
その特定の周波数スペクトル上の搬送波上で第１の無線通信システムのためのデータスケジューリング粒度が、図６に示されるステップＳ２０３１における手法で構成される場合、端末装置のためのデータスケジューリングは、データスケジューリング期間における利用可能な共有されるデータチャネルの帯域幅のＳ倍が有効長として使用される、周波数領域におけるデータスケジューリング粒度に従って、および／またはスケジューリング情報が有効長を示す、時間領域におけるデータスケジューリング粒度に従って実行され、対応するデータスケジューリング結果が獲得される。同様に、Ｓは、０より大きく、１以下である数値である。共有される特定の周波数スペクトル上の二次セル上のデータスケジューリング結果は、ＬＴＥ共有されない特定の周波数スペクトル上の一次セル上のスケジューリング情報を使用することによって端末装置に示され、または共有される特定の周波数スペクトル上の二次セル上のデータスケジューリング結果は、ＬＴＥ共有される特定の周波数スペクトル上の二次セル上のスケジューリング情報を使用することによって端末装置に示される。
【０１１７】
図６に示されるステップＳ２０３２における、その特定の周波数スペクトル上の搬送波上でＬＴＥシステムのためにデータスケジューリング粒度を構成する手法に基づいて、データスケジューリング粒度を得て、端末装置のためにデータスケジューリングを実行し、データスケジューリング結果を端末装置に示す２の手法が存在する。
【０１１８】
図７に示されるとおり、第１の手法において、共有される特定の周波数スペクトル上の搬送波上のデータスケジューリング結果は、共有されない特定の周波数スペクトル上の搬送波上のスケジューリング情報を使用することによって、端末装置に示される。
【０１１９】
図８に示されるとおり、第２の手法において、共有される特定の周波数スペクトル上の搬送波上のデータスケジューリング結果は、共有される特定の周波数スペクトル上の搬送波上のスケジューリング情報を使用することによって、端末装置に示される。この事例において、共有される特定の周波数スペクトル上の搬送波上のいくつかのリソースが、データスケジューリング制御チャネルとして使用される。第１の無線通信システム（ＬＴＥシステム）と第２の無線通信システム（ＷｉＦｉシステム）が、共有される特定の周波数スペクトル上の周波数スペクトルリソースを共有するため、リソースを送信するための、共有される特定の周波数スペクトル上の搬送波上のスケジューリング情報におけるロケーションは、固定されていない。図９に示されるとおり、第１の無線通信システムのためのＴＴＩスケジューリング期間において、いくつかのリソースが、第２の無線通信システム（ＷｉＦｉシステム）によって占有される。共有される特定の周波数スペクトル上の搬送波上の第１の無線通信システムのためのデータスケジューリングのための制御チャネル（ＰＤＣＣＨ）のリソースを送信することは、第２の無線通信システムが共有される特定の周波数スペクトルを占有する状況と関係する。
【０１２０】
データスケジューリングのために異なるデータスケジューリング粒度が使用される場合、データスケジューリング結果を端末装置に示すプロセスにおいて、データスケジューリング結果を端末装置に示すのに同一のフォーマットのデータスケジューリング情報が使用されることに留意されたい。データスケジューリング結果が、同一のフォーマットのデータスケジューリング情報を使用することによって、端末装置に示される場合、データスケジューリング結果のフォーマットは、スケジューリング情報の同一のリソーススケジューリングフィールドが、データスケジューリング結果を示すのに使用されることである。
【０１２１】
図６、および本発明の実施形態２における図６におけるステップのさらなる説明を参照して、ＬＴＥシステムおよびＷｉＦｉシステムを基礎とした説明のための例が使用される。
【０１２２】
その特定の周波数スペクトル上でＬＴＥシステムのためのデータスケジューリング粒度が異なる手法で構成されるステップＳ２０２、ステップＳ２０３１、またはステップＳ２０３２を実行することによって、端末装置のためのデータスケジューリングが、構成されたデータスケジューリング粒度に従って別々に実行され、対応するデータスケジューリング結果が獲得される。端末装置のためのデータスケジューリングを実行するプロセスにおいて、異なるデータスケジューリング粒度を使用することによって得られるデータスケジューリング粒度に対応する前述のスケジューリングに関して、それらのデータスケジューリング粒度にそれぞれ対応するデータスケジューリング結果を示すのに同一のリソーススケジューリングフィールドが使用される。
【０１２３】
例えば、ダウンリンクスケジューリングシグナリングのリソース割当てフィールドにおいて、データスケジューリング粒度にそれぞれ対応するデータスケジューリング結果を示すのにＸビットが使用される。
【０１２４】
式（１）が、以下のとおりダウンリンクスケジューリングにおける異なるデータスケジューリング粒度の事例におけるリソース割当て結果を示し、
【０１２５】
【数５】
0006356793.tif 000006
【０１２６】
式（２）が、以下のとおりアップリンクスケジューリングにおける異なるデータスケジューリング粒度の事例におけるリソース割当て結果を示し、
【０１２７】
【数６】
0006356793.tif 000007
【０１２８】
ここで、
【０１２９】
【数７】
0006356793.tif 000008
【０１３０】
は、データスケジューリング期間における利用可能な共有されるデータチャネル上の周波数領域スケジューリングに関する最大値であり、かつ周波数領域におけるスケジューリング粒度に対する共有されるデータチャネルの帯域幅の比であり、
【０１３１】
【数８】
0006356793.tif 000009
【０１３２】
は、データスケジューリング期間における利用可能な共有されるデータチャネル上の時間領域スケジューリングに関する最大値であり、かつ時間領域におけるスケジューリング粒度に対する共有されるデータチャネルの時間領域長の比であり、
【０１３３】
【数９】
0006356793.tif 000010
【０１３４】
および
【０１３５】
【数１０】
0006356793.tif 000011
【０１３６】
は、それぞれ、ＬＴＥシステムにあるダウンリンクＰＲＢの量、およびアップリンクＰＲＢの量である。
【０１３７】
Ｘ＝１３ビットであることが、
【０１３８】
【数１１】
0006356793.tif 000012
【０１３９】
であり、かつ
【０１４０】
【数１２】
0006356793.tif 000013
【０１４１】
であるダウンリンクスケジューリング中の例として使用される。
【０１４２】
第１のタイプのデータスケジューリング粒度に関して、
ＬＴＥシステムにおける既存のデータスケジューリング粒度、すなわち、データスケジューリングの各回に関して、時間領域における有効長は、スケジューリング期間における利用可能な共有されるデータチャネルの持続時間であり、周波数領域における有効長は、１のＰＲＢの周波数領域幅である。
【０１４３】
図１０に示されるとおり、任意のＰＲＢから開始し、任意のＰＲＢにおいて終了するＵＥのためのデータスケジューリングを示すのに１３ビットが使用される。
【０１４４】
第２のタイプのデータスケジューリング粒度に関して、
データスケジューリングの各回に関して、周波数領域における有効長は、スケジューリング期間における利用可能な共有されるデータチャネルの帯域幅のＳ倍であり、時間領域における有効長は、スケジューリングシグナリングによって示される。この事例において、Ｓの値は、１である。
【０１４５】
図１１に示されるとおり、１３ビットにおける最初の７ビット（０から１３までの合計で１４のＯＦＤＭシンボルを含む）が、任意のＯＦＤＭシンボルから開始し、任意のＯＦＤＭシンボルにおいて終了する時間領域におけるＵＥのためのデータスケジューリングを示すのに使用され、１３ビットにおける最後の６ビットが、拡張使用のための確保されたビットとして設定される。
【０１４６】
第３のタイプのデータスケジューリング粒度に関して、
データスケジューリングの各回に関して、周波数領域における有効長は、スケジューリング期間における利用可能な共有されるデータチャネルの帯域幅の１／４（すなわち、Ｓの値は、０．２５である）であり、時間領域における有効長は、スケジューリング情報を使用することによって示される。
【０１４７】
図１２に示されるとおり、スケジューリング期間における共有されるデータチャネル上のリソースに、スケジューリング粒度に従ってリソース０から５５として番号が付けられる。図１２に示されるとおり、１３ビットにおける最初の１２ビットが、任意のスケジューリングリソースから開始し、任意のスケジューリングリソースにおいて終了する時間領域におけるＵＥに関するデータスケジューリングを示すのに使用され、１３ビットにおける最後の１ビットは、拡張使用のための確保されたビットとして設定される。
【０１４８】
本発明の実施形態１および本発明の実施形態２において開示されるデータスケジューリング方法に基づいて、図５に示されるステップＳ１０３、または図６に示されるステップＳ２０５が実行された後、方法は、
構成されたデータスケジューリング粒度に従って端末装置のためにデータスケジューリングを実行した後、スケジュールされたデータの送信中、スケジュールされたデータの各データスケジューリング粒度において、基地局によって、スケジュールされたデータを復調するために要求される復調基準信号をマップして、端末装置、基地局を相手にデータ送信を実行するという目的を実現するようにすることをさらに含む。復調基準信号がマップされる際、既存のデータスケジューリング粒度のステータスが、マッピング条件として使用される。このステップを実行することによって、データ通信は、前述の構成されたデータスケジューリング結果を使用することによって、基地局と端末装置の間で最後に実行される。
【０１４９】
このステップにおいて、図５に示されるステップＳ１０１、または図６に示されるステップＳ２０２、ステップＳ２０３１、もしくはステップＳ２０３２において構成された、その特定の周波数スペクトル上の第１の無線通信システムのためのデータスケジューリング粒度に従って復調基準信号上でリソースマッピングが実行されて、データスケジューリングリソースのサイズがデータスケジューリング粒度と等しい場合、スケジュールされたデータが正しく復調されることが可能であるようになる。
【０１５０】
前述のリソースマッピングは、本発明の実施形態２に示されるステップＳ２０３１における構成を実行することによって得られた前述のデータスケジューリング粒度に従って説明される。
【０１５１】
図６に示されるステップＳ２０３１を実行することによって得られるデータスケジューリング粒度に関して、データスケジューリングの各回に関して、周波数領域における有効長は、スケジューリング期間における利用可能な共有されるデータチャネルの帯域幅であり、時間領域における有効長は、スケジューリング情報を使用することによって示され、スケジューリング情報を使用することによって示される有効長は、１のＯＦＤＭシンボルの時間領域長である。したがって、データ送信中に使用される復調基準信号は、スケジューリング期間における利用可能な共有されるデータチャネルの周波数領域にあり、１のＯＦＤＭシンボルの時間幅であるリソースにおいてマップされる。
【０１５２】
以下の図１３は、復調基準信号のリソースマッピング手法を示す。図１３における斜線部分は、復調基準信号ＤＭＲＳが、スケジューリング期間における利用可能な共有されるデータチャネルの周波数領域にあり、１のＯＦＤＭシンボルの時間幅であるリソースにおいてマップされるロケーションである。この手法において、データスケジューリング結果が１のＯＦＤＭシンボルである場合、データは、正しく復調されることが可能である。
【０１５３】
図５に基づく本発明の実施形態１、および図６に基づく本発明の実施形態２におけるステップにおけるさらなる説明に従って、共有される特定の周波数スペクトル上の搬送波上の第１の無線通信システムに関するデータスケジューリング粒度が構成され、時間領域および周波数領域においてより正確である構成されたデータスケジューリング粒度に従って端末装置のためのデータスケジューリングが実行されることが強調される。特定の周波数スペクトル上にＬＴＥシステムとＷｉＦｉシステムが共存する場合、ＬＴＥシステムとＷｉＦｉシステムは、時間領域および周波数領域におけるより正確なデータスケジューリング粒度に従って特定の周波数スペクトルリソースを共有し、したがって、ＬＴＥシステムとＷｉＦｉシステムの間のデータ送信中、送信機会が比較的均一に分配され、システムリソースがより十分に使用される。
【０１５４】
実施形態４
図１４に示されるとおり、図１４は、本発明の実施形態によるデータスケジューリング方法の流れ図であり、データスケジューリング方法は、端末装置に適用され、以下のステップを主に含む。
【０１５５】
ステップＳ３０１：端末装置が、基地局によって示されるデータスケジューリング粒度のオプションを受信し、データスケジューリング粒度のオプションは、特定の周波数スペクトル上の搬送波上の第１の無線通信システムのための時間領域および周波数領域における構成されたデータスケジューリング粒度を含み、その特定の周波数スペクトルは、共有される特定の周波数スペクトルと、共有されない特定の周波数スペクトルとを含む。
【０１５６】
ステップＳ３０１において、端末装置が、主に、本発明の実施形態１および実施形態２において開示されるものと同一である２の手法で基地局によって示されるデータスケジューリング結果を受信する。
【０１５７】
１の手法は、共有されない特定の周波数スペクトル上のスケジューリング情報に従って、その特定の周波数スペクトル上の搬送波上の第１の無線通信システムのためのデータスケジューリング結果を受信することである。
【０１５８】
他方の手法は、共有される特定の周波数スペクトル上のスケジューリング情報に従って、その特定の周波数スペクトル上の搬送波上の第１の無線通信システムのためのデータスケジューリング結果を受信することである。ステップ３０２：端末装置が、基地局によって示されるデータスケジューリング結果を受信し、復調基準信号に従ってデータスケジューリング結果を復調し、基地局を相手にデータ送信を実行する。
【０１５９】
その特定の周波数スペクトル上の第１の無線通信システムのための構成されたデータスケジューリング粒度に従って復調基準信号上でリソースマッピングが実行される。
【０１６０】
ステップＳ３０２において、端末装置が、基地局によって示されるデータスケジューリング結果を受信し、復調基準信号に従ってデータスケジューリング結果を復調し、基地局を相手にデータ送信を実行する手法が、本発明の実施形態３において開示されるステップにおける手法と同調し、基地局が、復調基準信号に従ってデータスケジューリング結果を復調し、端末装置を相手にデータ送信を実行する。
【０１６１】
その特定の周波数スペクトル上の搬送波上に第１の無線通信システムのためのデータスケジューリング結果が、共有される特定の周波数スペクトル上のスケジューリング情報に従って受信されるステップＳ３０１が実行される場合、第１の無線通信システム（ＬＴＥシステム）と第２の無線通信システム（ＷｉＦｉシステム）が、共有される特定の周波数スペクトル上の周波数スペクトルリソースを共有するため、共有される特定の周波数スペクトル上のスケジューリング情報において、リソースを送信するためのロケーションは、固定されていないことに留意されたい。図９に示されるとおり、第１の無線通信システムに関するＴＴＩスケジューリング期間において、いくつかのリソースが、第２の無線通信システム（ＷｉＦｉシステム）によって占有される。第１の無線通信システムに関するスケジューリング情報（ＰＤＣＣＨ）の送信されるリソースは、第２の無線通信システムが共有される特定の周波数スペクトルを占有する状況と関係する。
【０１６２】
したがって、端末装置は、共有される特定の周波数スペクトル上の搬送波上の複数のＯＦＤＭ上で、第１の無線通信システムに関するスケジューリング情報（ＰＤＣＣＨ）が検出されるまで、スケジューリング情報上でブラインド検出を実行し、次に、共有される特定の周波数スペクトル上のスケジューリング情報に従って、その特定の周波数スペクトル上の第１の無線通信システムのためのデータスケジューリング結果を受信する必要がある。
【０１６３】
基地局および端末装置に適用された本発明の実施形態１から本発明の実施形態４において開示されるデータ送信方法に従って、特定の周波数スペクトルが適切に使用されることが可能である。例えば、異なる物理リソース割当て手法、および異なるサイズのスケジューリングリソースを有する無線通信システムに関して、その特定の周波数スペクトル上の搬送波上の第１の無線通信システムのためのデータスケジューリング粒度が構成され、したがって、第１の無線通信システムのための時間領域および周波数領域におけるデータスケジューリングは、より正確である。
【０１６４】
本発明の前述の実施形態において与えられるＬＴＥシステムとＷｉＦｉシステムは、その特定の周波数スペクトル上に共存する。図１５に示されるとおり、図１５は、ＬＴＥシステムとＷｉＦｉシステムが、本発明の実施形態１から本発明の実施形態４において開示されるデータスケジューリング方法を使用することによって、データスケジューリング中に特定の周波数スペクトル上で特定の周波数スペクトルリソースを共有した後に得られる無線フレームの概略構造図であり、図１５における水平線部分は、ＬＴＥシステムにおけるデータ送信であり、斜線部分は、ＷｉＦｉシステムにおけるデータ送信である。
【０１６５】
本発明において開示される前述の実施形態において詳細に説明されるデータスケジューリング方法に関して、本発明の実施形態は、前述の方法を対応するように実行する装置をさらに開示し、特定の実施形態が、詳細な説明のために以下に与えられる。
【０１６６】
実施形態５
図１６に示されるとおり、図１６は、本発明の実施形態１において説明されるデータスケジューリング方法に対応する装置の概略構造図であり、データスケジューリング装置は、基地局側に適用され、
特定の周波数スペクトル上の搬送波上で第１の無線通信システムのために時間領域および周波数領域においてデータスケジューリング粒度を構成し、データスケジューリング粒度をインジケーションユニット１０２に送るように構成された構成ユニット１０１と、
その特定の周波数スペクトル上のいくつかの搬送波上、またはすべての搬送波上のデータスケジューリング粒度のオプションを端末装置ＵＥに示し、データスケジューリング粒度をデータスケジューリングユニット１０３に送るように構成されたインジケーションユニット１０２と、
その特定の周波数スペクトル上の搬送波上のデータスケジューリング粒度のオプションにおいて示される構成されたデータスケジューリング粒度に従って端末装置ＵＥのためのデータスケジューリングを実行し、対応するデータスケジューリング結果を端末装置ＵＥに示すように構成されたデータスケジューリングユニット１０３とを主に含む。
【０１６７】
本発明の実施形態５において開示されるデータ送信装置における各部分の実行原理および実行プロセスは、本発明の実施形態１において開示されるデータ送信方法の対応する部分のものと同一であり、詳細が、本明細書において再び説明されることはない。
【０１６８】
本発明の実施形態５において開示されるデータスケジューリング装置の構造に基づいて、装置は、第１のデータ送信ユニットをさらに含み、第１のデータ送信ユニットは、データスケジューリングユニットに接続され、復調基準信号を、送信される必要があるスケジュールされたデータに関する各データスケジューリング粒度にマップし、復調基準信号に従って、スケジュールされたデータを復調し、端末装置ＵＥを相手にデータ送信を実行するように構成され、復調基準信号のマッピング中、構成ユニットによって出力されるデータスケジューリング粒度のステータスは、マッピング条件として使用される。
【０１６９】
本発明の実施形態５において開示されるデータ送信装置における各部分の実行原理および実行プロセスは、本発明の実施形態３において開示されるデータ送信と関係する対応する部分のものと同一であり、詳細が、本明細書において再び説明されることはない。
【０１７０】
本発明の実施形態５において開示される前述のデータスケジューリング装置に関して、構成ユニット１０１は、特に、
その特定の周波数スペクトル上の搬送波上で適用された第２の無線通信システムが存在するかどうかを検出し、その特定の周波数スペクトル上の搬送波上で適用された第２の無線通信システムが存在しない場合、第１の構成モジュールを実行し、その特定の周波数スペクトル上の搬送波上で適用された第２の無線通信システムが存在する場合、第２の構成モジュールまたは第３の構成モジュールを実行するように構成された検出モジュールである。
【０１７１】
第１の構成モジュールは、その特定の周波数スペクトル上の搬送波上のデータスケジューリング粒度を既存の手法で構成するように構成される。
【０１７２】
その特定の周波数スペクトル上の搬送波上の構成されたデータスケジューリング粒度は、ＬＴＥシステムのための既存のスケジューリング粒度ＰＲＢであり、すなわち、時間領域において、第１の無線通信システムのためのデータスケジューリングの有効長は、データスケジューリング期間における利用可能な共有されるデータチャネルの持続時間であり、周波数領域において、第１の無線通信システムのためのデータスケジューリングの有効長は、１の物理リソースブロックの周波数領域幅であるデータスケジューリング粒度である。データスケジューリング粒度は、第１の無線通信システムのためのデフォルトのデータスケジューリング粒度である。
【０１７３】
第２の構成モジュールは、その特定の周波数スペクトル上の搬送波上のデータスケジューリングを構成するように構成される。
【０１７４】
特定の構成は、時間領域において、第１の無線通信システムのためのデータスケジューリングの有効長が、１のＯＦＤＭシンボルの時間領域長であり、周波数領域において、第１の無線通信システムのためのデータスケジューリングの有効長が、データスケジューリング期間における利用可能な共有されるデータチャネルの帯域幅のＳ倍であり、Ｓは、０より大きく、１以下である数値であるデータスケジューリング粒度である。
【０１７５】
第３の構成モジュールは、その特定の周波数スペクトルの共有される特定の周波数スペクトル上の搬送波上の時間領域および周波数領域においてデータスケジューリング粒度を構成するように構成され、時間領域において、第１の無線通信システムのためのデータスケジューリングの有効長が、１のＯＦＤＭシンボルの時間領域長であり、周波数領域において、第１の無線通信システムのためのデータスケジューリングの有効長が、データスケジューリング期間における利用可能な共有されるデータチャネルの帯域幅のＳ倍であり、Ｓは、０より大きく、１以下である数値である。
【０１７６】
同時に、その特定の周波数スペクトルの共有されない特定の周波数スペクトル上の搬送波上の時間領域および周波数領域におけるデータスケジューリング粒度は、ＬＴＥシステムのための既存のスケジューリング粒度ＰＲＢとして構成され、すなわち、時間領域において、第１の無線通信システムのためのデータスケジューリングの有効長は、データスケジューリング期間における利用可能な共有されるデータチャネルの持続時間であり、周波数領域において、第１の無線通信システムのためのデータスケジューリングの有効長は、１のＰＲＢの周波数領域幅であり、データスケジューリング粒度は、第１の無線通信システムのためのデフォルトのデータスケジューリング粒度である。
【０１７７】
インジケーションユニット１０２は、
データスケジューリング粒度のオプションから、その特定の周波数スペクトル上の搬送波上の第１の無線通信システムのための時間領域および／または周波数領域におけるデータスケジューリング粒度を獲得するように構成された獲得モジュール、および
共有される特定の周波数スペクトル上の搬送波上のスケジューリング情報を使用することによって、時間領域および／または周波数領域におけるデータスケジューリング粒度を端末装置に示し、データスケジューリング粒度をデータスケジューリングユニットに送るように構成された第１のインジケーションモジュール、または
共有される特定の周波数スペクトル上の搬送波とは別のスペクトル上の搬送波上のスケジューリング情報を使用することによって、時間領域および／または周波数領域におけるデータスケジューリング粒度を端末装置に示し、データスケジューリング粒度をデータスケジューリングユニットに送るように構成された第２のインジケーションモジュールを含む。
【０１７８】
データスケジューリングユニット１０３の異なるインジケーション手法は、インジケーションユニット１０２によって示される異なる受信されるデータスケジューリング粒度に対応する。第１の構成モジュールが、その特定の周波数スペクトル上の搬送波上のデータスケジューリング粒度を構成する場合、データスケジューリングユニットは、
時間領域における、第１の無線通信システムのためのデータスケジューリングの有効長が、データスケジューリング期間における利用可能な共有されるデータチャネルの持続時間であり、周波数領域における、第１の無線通信システムのためのデータスケジューリングの有効長が、１のＰＲＢの周波数領域幅であるデータスケジューリング粒度に従って端末装置のためにデータスケジューリングを実行し、対応するデータスケジューリング結果を獲得するように構成された第１のデータスケジューリングモジュールと、
共有されない特定の周波数スペクトル上のスケジューリング情報を使用することによって、共有される特定の周波数スペクトルのデータスケジューリング結果を端末装置に示し、または共有される特定の周波数スペクトル上のスケジューリング情報を使用することによって、共有される特定の周波数スペクトルのデータスケジューリング結果を端末装置に示し、データスケジューリング結果を第１のデータ送信ユニットに送るように構成された第２のデータインジケーションモジュールとを含み、
共有されない周波数スペクトル上、または共有される周波数スペクトル上のスケジューリング情報は、ＰＤＣＣＨ命令またはＥ−ＰＤＣＣＨ命令である。
【０１７９】
第２の構成モジュールが、その特定の周波数スペクトル上の搬送波上のデータスケジューリング粒度を構成する場合、データスケジューリングユニットは、
データスケジューリング期間における利用可能な共有されるデータチャネルの帯域幅のＳ倍が周波数領域における有効長として使用されるデータスケジューリング粒度に従って、および／または時間領域における有効長が、スケジューリング情報を使用することによって示されるデータスケジューリング粒度に従って端末装置のためのデータスケジューリングを実行し、対応するデータスケジューリング結果を獲得するように構成された第２のデータスケジューリングモジュールと、
ＬＴＥ共有されない周波数スペクトル上の一次セル上のスケジューリング情報を使用することによって、共有される周波数スペクトル上の二次セル上のデータスケジューリング結果を端末装置に示し、またはＬＴＥ共有される周波数スペクトル上の二次セル上のスケジューリング情報を使用することによって、共有される周波数スペクトル上の二次セル上のデータスケジューリング結果を端末装置に示し、データスケジューリング結果を第１のデータ送信ユニットに送るように構成された第３のインジケーションモジュールとを含む。
【０１８０】
共有されない周波数スペクトル上の一次セル上のスケジューリング情報は、物理ダウンリンク制御チャネル命令または拡張された物理ダウンリンク制御チャネル命令である。
【０１８１】
第３の構成モジュールが、その特定の周波数スペクトル上の搬送波上でデータスケジューリング粒度を構成する場合、データスケジューリングユニットは、
その特定の周波数スペクトルの共有される特定の周波数スペクトル上の搬送波上の時間領域および周波数領域におけるデータスケジューリング粒度、またはその特定の周波数スペクトルの共有されない特定の周波数スペクトル上の搬送波上の時間領域および周波数領域におけるデータスケジューリング粒度、すなわち、ＬＴＥシステムのための既存のスケジューリング粒度ＰＲＢに従って端末装置のためにデータスケジューリングを実行し、対応するデータスケジューリング結果を獲得するように構成された第３のデータスケジューリングモジュールと、
共有されない特定の周波数スペクトル上のスケジューリング情報を使用することによって、共有される特定の周波数スペクトルのデータスケジューリング結果を端末装置に示し、または共有される特定の周波数スペクトル上のスケジューリング情報を使用することによって、共有される特定の周波数スペクトルのデータスケジューリング結果を端末装置に示し、データスケジューリング結果を第１のデータ送信ユニットに送るように構成された第４のインジケーションモジュールとを含む。
【０１８２】
各ユニットに含まれる前述の開示されたモジュール構造に基づいて、データスケジューリングユニット１０３は、
データスケジューリングが、データスケジューリング粒度のオプションにおいて示される、その特定の周波数スペクトル上の第１の無線通信システムのための異なるデータスケジューリング粒度に従って端末装置のために実行される場合、データスケジューリング結果のフォーマットを統一するように構成された統一されたフォーマットモジュールをさらに含む。
【０１８３】
本発明の実施形態５において開示され、基地局側に適用される前述のデータスケジューリング装置は、実際のアプリケーションにおいて、記憶媒体を含むメモリに統合される。当業者は、このアプリケーションが、必要な汎用ハードウェアプラットフォームに加えてソフトウェアを使用することによって実施されることを明白に理解することが、前述の説明から知られる。したがって、このアプリケーションは、基地局をさらに提供する。図１７に示されるとおり、基地局６００は、メモリ６０１と、バス６０２を使用することによってメモリ６０１に接続されたプロセッサ６０３とを含む。
【０１８４】
メモリ６０１は、基地局側がデータスケジューリングを実行するプログラムを記憶する。
【０１８５】
メモリは、高速ＲＡＭメモリを含み、不揮発性メモリ、例えば、少なくとも１のディスクメモリも含む。
【０１８６】
プロセッサが、前述のプログラムを実行する。前述のプログラムは、プログラムコードを含み、プログラムコードは、特定の順序で並べられた一連の動作命令を含む。プロセッサは、本発明のこの実施形態を実施するように構成された中央処理装置ＣＰＵ、または特定の集積回路、または１または複数の集積回路である。
【０１８７】
基地局側がデータスケジューリングを実行するプログラムは、
特定の周波数スペクトル上の搬送波上で第１の無線通信システムのために時間領域および周波数領域においてデータスケジューリング粒度を構成すること、
その特定の周波数スペクトル上のいくつかの搬送波上、またはすべての搬送波上のデータスケジューリング粒度のオプションを端末装置に示すこと、および
その特定の周波数スペクトル上の搬送波上の構成されたデータスケジューリング粒度のオプションにおいて示されるデータスケジューリング粒度に従って端末装置ＵＥのためのデータスケジューリングを実行し、対応するデータスケジューリング結果を端末装置ＵＥに示すことを特に含む。
【０１８８】
各ユニットにおいて制限される、または追加されるモジュール構造によるデータ送信を実行することの原理、および実行プロセスは、本発明の実施形態２、および本発明の実施形態３において開示されるデータ送信方法における対応する部分のものと同一であり、これらは、互いに参照され、詳細が、本明細書において再び説明されることはない。
【０１８９】
実施形態６
図１８に示されるとおり、図１８は、本発明の実施形態４において説明されるデータスケジューリング方法に対応する装置の概略構造図であり、データスケジューリング装置は、端末装置側に適用され、
基地局、例えば、ｅＮＢによって示されるデータスケジューリング粒度のオプションを受信するように構成された受信ユニット２０１であって、データスケジューリング粒度のオプションは、特定の周波数スペクトル上の搬送波上の第１の無線通信システムのための構成されたデータスケジューリング粒度を含み、その特定の周波数スペクトルは、共有される特定の周波数スペクトルと、共有されない特定の周波数スペクトルとを含む受信ユニット２０１と、
基地局ｅＮＢによって示されるデータスケジューリング結果を受信し、復調基準信号に従ってデータスケジューリング結果を復調し、基地局ｅＮＢを相手にデータ送信を実行するように構成された第２のデータ送信ユニット２０２とを主に含み、
その特定の周波数スペクトル上の第１の無線通信システムのための構成されたデータスケジューリング粒度に従って復調基準信号上でリソースマッピングが実行される。
【０１９０】
第２のデータ送信ユニット２０２は、特に、
共有される特定の周波数スペクトル上のスケジューリング情報に従って、その特定の周波数スペクトル上の搬送波上の第１の無線通信システムのためのデータスケジューリング結果を受信するように構成された第１の受信モジュールであり、
第１の受信モジュールは、少なくとも１のＯＦＤＭシンボルにおける物理ダウンリンク制御チャネル上でブラインド検出を実行して、その特定の周波数スペクトル上のスケジューリング情報を獲得するように構成されたブラインド検出モジュールを含む。
【０１９１】
代替として、第２のデータ送信ユニット２０２は、特に、
共有される特定の周波数スペクトルとは別のスペクトル上の搬送波上のスケジューリング情報に従って、その特定の周波数スペクトル上の搬送波上の第１の無線通信システムのためのデータスケジューリング結果を受信するように構成された第２の受信モジュールである。
【０１９２】
本発明の実施形態６において開示され、端末装置側に適用される前述のデータスケジューリング装置は、実際のアプリケーションにおいて、記憶媒体を含むメモリに統合もされる。当業者は、このアプリケーションが、必要な汎用ハードウェアプラットフォームに加えてソフトウェアを使用することによって実施されることを明確に理解することが、前述の説明から知られる。したがって、このアプリケーションは、端末装置をさらに提供する。図１９に示されるとおり、端末装置７００は、メモリ７０１と、バス７０２を使用することによってメモリ７０１に接続されたプロセッサ７０３とを含む。
【０１９３】
メモリは、端末装置側がデータスケジューリングを実行するプログラムを記憶する。
【０１９４】
メモリは、高速ＲＡＭメモリを含み、不揮発性メモリ、例えば、少なくとも１のディスクメモリも含む。
【０１９５】
プロセッサが、前述のプログラムを実行する。前述のプログラムは、プログラムコードを含み、プログラムコードは、特定の順序で並べられた一連の動作命令を含む。プロセッサは、本発明のこの実施形態を実施するように構成された中央処理装置ＣＰＵ、または特定の集積回路、または１または複数の集積回路である。
【０１９６】
端末装置側がデータスケジューリングを実行するプログラムは、
基地局ｅＮＢによって示されるデータスケジューリング粒度のオプションを受信することであって、データスケジューリング粒度のオプションは、特定の周波数スペクトル上の搬送波上の第１の無線通信システムのための構成されたデータスケジューリング粒度を含み、その特定の周波数スペクトルは、共有される特定の周波数スペクトルと、共有されない特定の周波数スペクトルとを含むこと、
基地局ｅＮＢによって示されるデータスケジューリング結果を受信することであって、復調基準信号に従ってデータスケジューリング結果を復調し、基地局ｅＮＢを相手にデータ送信を実行することを特に含む。
【０１９７】
本発明の実施形態６において開示されるデータ送信装置における各部分の実行原理および実行プロセスは、本発明の実施形態４において開示されるデータ送信方法における対応する部分のものと同一であり、詳細が、本明細書において再び説明されることはない。
【０１９８】
結論として、
本発明の実施形態において開示されるデータ送信方法およびデータ送信装置によれば、データ送信より前に、基地局が、特定の周波数スペクトル上の搬送波上で第１の無線通信システムのためのデータスケジューリング粒度を構成し、データ送信中、特定の周波数スペクトルリソースを共有することが関与している場合、基地局は、構成されたデータスケジューリング粒度を使用することによって、端末装置のためのデータスケジューリングを実行し、対応するデータスケジューリング結果を端末装置に示す。その特定の周波数スペクトル上の搬送波上の無線通信システムのためのデータスケジューリング粒度が構成され、したがって、システム間で特定の周波数スペクトルリソースが使用される場合、システムリソースのより均一な分配、およびより多くの使用という目的が実現される。さらに、基地局と端末装置の間のデータ送信が、データスケジューリング結果に基づいて実施される。
【０１９９】
本明細書における実施形態はすべて、累進的な手法で説明され、実施形態における同一の、または同様の部分に関して、これらの実施形態が参照され、各実施形態は、他の実施形態との違いに焦点を合わせる。実施形態において開示される装置は、実施形態において開示される方法と基本的に同様であり、したがって、簡単に説明され、関連する部分に関して、方法の部分的な説明が参照される。
【０２００】
本明細書において開示される実施形態と組み合わせて、方法ステップまたはアルゴリズムステップは、ハードウェアによって、プロセッサによって実行されるソフトウェアモジュールによって、またはその組合せによって実施される。ソフトウェアモジュールは、ランダムアクセスメモリ（ＲＡＭ）、メモリ、読取り専用メモリ（ＲＯＭ）、電気的にプログラム可能なＲＯＭ、電気的に消去可能なプログラム可能なＲＯＭ、レジスタ、ハードディスク、リムーバブルディスク、ＣＤ−ＲＯＭ、または当技術分野においてよく知られた他の任意の形態の記憶媒体において構成される。
【０２０１】
前段において開示される実施形態は、当業者が本発明を実施すること、または使用することを可能にするように説明される。実施形態に行われる様々な変形が、当業者には明白となろう。したがって、本発明は、本明細書において例示されるこれらの実施形態に限定されることは意図されず、本明細書において開示される原理および新奇な特徴と合致する最も広い範囲において解釈されるべきである。
【図１】
0006356793.tif 000014
【図２】
0006356793.tif 000015
【図３】
0006356793.tif 000016
【図４】
0006356793.tif 000017
【図５】
0006356793.tif 000018
【図６】
0006356793.tif 000019
【図７】
0006356793.tif 000020
【図８】
0006356793.tif 000021
【図９】
0006356793.tif 000022
【図１０】
0006356793.tif 000023
【図１１】
0006356793.tif 000024
【図１２】
0006356793.tif 000025
【図１３】
0006356793.tif 000026
【図１４】
0006356793.tif 000027
【図１５】
0006356793.tif 000028
【図１６】
0006356793.tif 000029
【図１７】
0006356793.tif 000030
【図１８】
0006356793.tif 000031
【図１９】
0006356793.tif 000032